(57)【要約】出版物読者調査において、参加者による出版物の使用に関するデータを測定して収集する方法とシステム。圧電式トランスデューサ、ＲＦＩＤタグならびに他のデバイスおよび回路などのさまざまなデバイスを備えた出版物と共にこの調査の参加者によって携行される携帯式モニターを採用する方法やシステムがある。
2007535735.tif 000002
【特許請求の範囲】
【請求項１】
ある人物による出版物の使用に関するデータを生成するシステムであって：
出版物の所定の部分の中または表面に配置され、変形すると電気エネルギを出力として発生するように動作する圧電式エレメントと；
前記出版物の中または表面に配置され、前記圧電式エレメントによって出力された前記電気エネルギに反応して、前記出版物の使用を示すデータを前記出版物から離れたところにあるデータ受信機に通信する通信デバイスと、
を備える前記システム。
【請求項２】
前記出版物をさらに備える、請求項１に記載のシステム。
【請求項３】
前記通信デバイスが無線送信機を備える、請求項１に記載のシステム。
【請求項４】
前記圧電式エレメントが前記出版物のページの中または表面に配置され、また、前記出版物の前記ページがめくられると電気エネルギを発生するようになっている、請求項１に記載のシステム。
【請求項５】
前記圧電式エレメントが圧電式ポリマーフィルムである、請求項１に記載のシステム。
【請求項６】
前記出版物が複数のページを含み、また、前記システムが前記通信デバイスに結合された複数の圧電式エレメントを含み、前記圧電式エレメントのそれぞれが、前記出版物の前記複数のページのそれぞれ互いに異なったページの表面または中に配置され、前記通信デバイスが、前記電気エネルギを供給する前記それぞれの圧電式エレメントに対応する前記出版物の前記ページを識別するデータを前記通信デバイスに通信する、請求項１に記載のシステム。
【請求項７】
前記出版物の中または表面に配置され、前記通信デバイスに結合され、前記出版物の運動を検出するようになっている動作検出装置をさらに備え；前記動作検出装置が前記出版物の運動を検出すると、データを通信するようになっている、請求項１に記載のシステム。
【請求項８】
前記出版物が複数のページを含み、前記ページのうちの少なくとも１ページが、前記ページで表示される項目を一時的に隠すように設計された折りたたみ式フラップを含み；前記圧電式エレメントが前記折りたたみ式フラップの近傍に配置され、また、前記ページに表示される項目を見せるために前記折りたたみ式フラップが上げられると電気エネルギを発生する、請求項１に記載のシステム。
【請求項９】
前記圧電式エレメントが前記出版物のカバーの重要な部分の中または表面に配置された圧電式ポリマーフィルムを含み、また、ある人物の手によって前記カバーが把持されると電気エネルギを発生するようになっている、請求項１に記載のシステム。
【請求項１０】
前記圧電式ポリマーフィルムが、前記カバーを把持する前記手からの熱による温度変化が検出されると電気エネルギを発生するようになっている、請求項９に記載のシステム。
【請求項１１】
前記圧電式ポリマーフィルムが、前記カバーを把持する前記手による物理的圧力と温度変化の双方が検出されるときにのみ、検出可能な特徴を有する電気エネルギを発生するようになっており；また、前記通信デバイスが、前記検出可能な特徴を有する前記電気エネルギが受領されると、前記出版物が把持されたことを示すデータを通信するようになっている、請求項９に記載のシステム。
【請求項１２】
前記圧電式エレメントと前記通信デバイスが導電性の可視媒体を介して結合されている、請求項１に記載のシステム。
【請求項１３】
前記出版物が外部包装材料を含み；前記圧電式エレメントが前記外部包装材料の中または表面に配置され、前記外部包装材料が取り除かれると電気エネルギを発生するようになっており；また、前記通信デバイスは、前記発生された電気エネルギを受領すると前記外部包装材料が取り除かれたことを示すデータを送信する、請求項１に記載のシステム。
【請求項１４】
出版物読者調査の参加者によって携行されるようになっている携帯式モニターをさらに備え、前記携帯式モニターが、前記通信デバイスによって送信された前記データを受信するように動作する無線受信機と、前記受信された情報を記憶するように動作するストレージとを含む、請求項１に記載のシステム。
【請求項１５】
前記携帯式モニターの前記無線受信機が、さらに１以上の位置信号を受信するようになっており、また、前記携帯式モニターの前記ストレージが、前記受信された情報と共に、前記受信された１以上の位置信号に関連する位置データを記憶するようになっている、請求項１４に記載のシステム。
【請求項１６】
前記圧電式エレメントが導電性インクによって前記通信デバイスに結合される、請求項１に記載のシステム。
【請求項１７】
ある人物による出版物の使用を示す使用データを生成する方法であって：
前記出版物の中または表面に配置された圧電式エレメントによって前記出版物の使用を示す使用データを生成するステップと；
前記使用データをデータ回収装置に通信するステップと；
を備える方法。
【請求項１８】
前記通信するステップが、前記使用データをデータ回収装置に無線通信するステップを備える、請求項１７に記載の方法。
【請求項１９】
前記使用データを生成するステップが、前記出版物のページがめくられると前記圧電式エレメントを用いて電気エネルギを発生するステップを備える、請求項１７に記載の方法。
【請求項２０】
圧電式ポリマーフィルムを用いて使用データを生成するステップを備える、請求項１７に記載の方法。
【請求項２１】
前記出版物のそれぞれ互いに異なったページの表面または中に配置された複数の圧電式エレメントを提供するステップをさらに備え、また、前記使用データを生成するステップが、めくられたページに対応する使用データを前記めくられたページの表面または中に配置された、それぞれの前記圧電式エレメントによって生成するステップを備える、請求項１７に記載の方法。
【請求項２２】
前記出版物の動作を検出するステップと；前記検出された動作に基づいたデータをデータ回収装置に無線通信するステップとをさらに備える、請求項１７に記載の方法。
【請求項２３】
前記出版物のページの折りたたみ式フラップの近傍に前記圧電式エレメントを提供するステップをさらに備え、前記使用データを生成するステップが、前記折りたたみ式フラップが上げられると実行される、請求項１７に記載の方法。
【請求項２４】
前記出版物が把持されると、それに対応する使用データを生成するステップを備える、請求項１７に記載の方法。
【請求項２５】
前記出版物が把持されると、それに対応する使用データを、前記出版物の中または表面上の圧電式ポリマーフィルムを用いて生成するステップを備える、請求項１７に記載の方法。
【請求項２６】
前記出版物を把持している手からの熱による温度変化を検出することによって使用データを生成するステップを備える、請求項２４に記載の方法。
【請求項２７】
前記使用データを生成するステップが物理的圧力を検出するステップを含み、前記使用データを通信するステップが物理的圧力と前記温度変化の双方が検出された場合にのみ実行される、請求項２６に記載の方法。
【請求項２８】
前記出版物が外部包装材料から取り外されるときに使用データを生成するステップを備える、請求項１７に記載の方法。
【請求項２９】
出版物読者調査の参加者が携行する携帯式モニターに対して前記使用データを無線通信するステップを備える、請求項１７に記載の方法。
【請求項３０】
前記無線通信された使用データが受信されると前記携帯式モニターのロケーションを確定するステップと、前記ロケーションを前記無線通信された使用データと共に前記携帯式モニター内部に記憶するステップとをさらに備える、請求項２９に記載の方法。
【請求項３１】
前記使用データを通信するステップが無線送信機によって実行され；前記方法はさらに、前記圧電式エレメントの出力を前記無線送信機に、前記出版物上に配置された導電性インクを介して結合するステップをさらに備える、請求項１７に記載の方法。
【請求項３２】
ある人物による出版物の使用に関するデータを生成するシステムであって：
前記出版物の中または表面に配置され、人物が前記出版物に近づくと出力信号を生成するように動作する人物近接検出装置と；
前記出版物の中または表面に配置され、前記検出装置から出力された前記信号に反応して、前記出版物の使用を示すデータを前記出版物から離れたところにあるデータ受信機に通信する通信デバイスと；
を備えるシステム。
【請求項３３】
前記出版物をさらに備える、請求項３２に記載のシステム。
【請求項３４】
前記通信デバイスが無線送信機を備える、請求項３２に記載のシステム。
【請求項３５】
前記検出装置が、人物が前記出版物に近接すると発生する電界効果を検出し、それに応答して出力信号を生成するようになっている、請求項３２に記載のシステム。
【請求項３６】
前記検出装置が、前記検出装置の電気的特長の変化を検出し、また、それに応答して出力信号を生成するようになっている、請求項３２に記載のシステム。
【請求項３７】
前記検出装置が、前記出版物に近接している人物の熱エネルギを検出し、それに応答して出力信号を生成するようになっている、請求項３２に記載のシステム。
【請求項３８】
前記出版物が、：
取り外し可能なカードと、
前記出版物と前記カードとのいずれかの中または表面に配置され、また、前記通信デバイスに結合されて、前記カードが前記出版物に取り付けられると前記通信デバイスを第１の状態に入らせ、前記カードが前記出版物から取り外されると前記通信デバイスを第２の状態に入らせる検出デバイスと、
を含む、請求項３２に記載のシステム。
【請求項３９】
前記検出デバイスが、ジャンパ線、電磁気デフレクタ、干渉による弱め合い回路、減衰回路およびデチューニング回路の内の１つである、請求項３２に記載のシステム。
【請求項４０】
前記通信デバイスが無線送信機を含み、前記システムが、出版物読者調査の参加者によって実行されるようになっている携帯式モニターをさらに備え、前記携帯式モニターが、前記無線送信機によって送信されたデータを受信するように動作する無線受信機と、受信された前記データを記憶するように動作するストレージとを含む、請求項３２に記載のシステム。
【請求項４１】
前記携帯式モニターが、前記無線送信機によって送信されたデータの受信に対応する１以上の位置信号を受信するようになっており、前記携帯式モニターの前記ストレージが、前記受信された１以上の位置信号に関連する位置データを記憶するように動作する、請求項４０に記載のシステム。
【請求項４２】
前記携帯式モニターが、前記受信された１以上の位置信号に基づいて前記携帯式モニターのロケーションを利用して、前記人物による前記出版物の使用を確認するようになっている、請求項４１に記載のシステム。
【請求項４３】
前記人物近接検出装置が、並進的な運動、変形、把持ならびに前記出版物に対する前記人物の近接および接触の内の選択された１つを検出するように動作する第１の検出装置と、並進的な運動、変形、把持、前記出版物に対する前記人物の近接および接触のうち、前記選択された１つ以外の１つを検出するように動作する第２の検出装置とを備える、請求項３２に記載のシステム。
【請求項４４】
前記人物近接検出装置の前記出力信号が、前記出版物上に配置された導電性インクによって前記通信デバイスに供給される、請求項３２に記載のシステム。
【請求項４５】
ある人物による出版物の使用に関するデータを生成する方法であって：
人物の出版物に対する近接を検出するステップと；
前記出版物に対する前記人物の近接が検出されると、それに応答して、前記人物による前記出版物の使用を示す使用データを生成するステップと；
を備える、前記方法。
【請求項４６】
前記使用データをデータ回収装置に通信するステップをさらに備える、請求項４５に記載の方法。
【請求項４７】
前記近接を検出するステップが、人物が前記出版物に近接すると発生する電界効果を検出することによって実行される、請求項４５に記載の方法。
【請求項４８】
前記近接を検出するステップが、前記検出装置の電気的特長の変化を検出することによって実行される、請求項４５に記載の方法。
【請求項４９】
前記近接を検出するステップが、前記出版物に近接した人物の熱エネルギを検出することによって実行される、請求項４５に記載の方法。
【請求項５０】
取り外し可能なカードが前記出版物から取り外されるとそれを検出するステップをさらに備え；前記使用データを生成するステップが、前記カードが取り外されたことが検出されると、それに応答して前記カードが取り外されたことを示すステップを備える、請求項４５に記載の方法。
【請求項５１】
前記カードの取り外しを検出するステップが、ジャンパ線、電磁気デフレクタ、干渉による弱め合い回路、減衰回路およびデチューニング回路の内の１つによって実行される、請求項５０に記載の方法。
【請求項５２】
前記使用データを無線通信するステップを備える、請求項４５に記載の方法。
【請求項５３】
出版物読者調査の参加者によって携行される携帯式モニターを提供するステップと；前記無線通信された使用データを前記携帯式モニターで受信するステップとをさらに備える、請求項５２に記載の方法。
【請求項５４】
前記無線通信された使用データが受信されると前記携帯式モニターのロケーションを確定するステップと、前記ロケーションを前記無線通信された使用データと共に前記携帯式モニター内部に記憶するステップとをさらに備える、請求項５３に記載の方法。
【請求項５５】
前記携帯式モニターのロケーションと前記無線通信された使用データとを利用して、前記人物による前記出版物の使用を確認するステップをさらに備える、請求項５４に記載の方法。
【請求項５６】
前記近接検出ステップが、並進的な運動、変形、把持ならびに前記出版物に対する前記人物の近接および接触の内の少なくとも２つを検出するステップを備える、請求項４５に記載の方法。
【請求項５７】
前記近接を検出するステップがデバイスによって実行され、また、前記使用データを無線通信するステップが無線送信機によって実行され；前記方法がさらに、前記デバイスの出力を前記無線送信機に、前記出版物上に配置された導電性インクを介して結合するステップをさらに備える、請求項４５に記載の方法。
【請求項５８】
出版物読者調査の参加者による接触に関するデータを収集する際に用いられるコンビネーションであって：
前記出版物の中または表面に配置され、第１の状態と第２の状態で選択的に動作する通信デバイスと；
前記出版物の中または表面に配置され、かつ前記通信デバイスへ通信可能に結合される制御デバイスであって、前記出版物の所定の２ページが閉じられると第１の状態で前記通信デバイスを動作させ、前記出版物の前記所定の２ページが開かれると第２の状態で前記通信デバイスを動作させるようになっている前記制御デバイスと；
を備えるコンビネーション。
【請求項５９】
複数のページを有する出版物をさらに備える、請求項５８に記載のコンビネーション。
【請求項６０】
前記通信デバイスは無線送信機を備える、請求項５８に記載のコンビネーション。
【請求項６１】
前記出版物の前記２つの所定のページは互いに隣接している、請求項５８に記載のコンビネーション。
【請求項６２】
前記通信デバイスは前記２つの所定ページのうちの第１のページの中または表面にあり、前記制御デバイスは前記２つの所定ページのうちの第２のページの中または表面にあり、前記制御デバイスと前記通信デバイスは一緒になると、前記制御デバイスと前記通信デバイスが互いに近接しあうことを感知でき、これで、前記第１と第２の所定のページが互いに所定の近接範囲内にあるときに前記通信デバイスは前記第１の状態で動作することができる、請求項５８に記載のコンビネーション。
【請求項６３】
前記通信デバイスがＲＦＩＤタグを備えており、前記制御デバイスが、電磁気デフレクタ、干渉回路、減衰回路およびデチューニング回路の内の少なくとも１つを備える、請求項５８に記載のコンビネーション。
【請求項６４】
前記出版物の中または表面に配置され、また、前記通信デバイスと通信している動作検出装置をさらに備え、前記動作検出装置が、前記通信デバイスの前記状態を制御する信号を生成するように動作する、請求項５８に記載のコンビネーション。
【請求項６５】
前記動作検出装置が加速度計である、請求項６４に記載のコンビネーション。
【請求項６６】
前記通信デバイスが、前記出版物の所定の２ページが閉じられたときに前記第１の状態で動作可能となり、前記出版物の前記２ページが開かれると前記第２の状態で動作可能となる無線送信機を備える、請求項５８に記載のコンビネーション。
【請求項６７】
前記参加者である前記人物に携行されて、前記無線送信機の前記第２の状態を検出するようになっている携帯式モニターをさらに備える、請求項６６に記載のコンビネーション。
【請求項６８】
前記携帯式モニターが、前記無線送信機の前記第２の動作状態によって起動される、請求項６７に記載のコンビネーション。
【請求項６９】
前記制御デバイスが、前記所定のページの内の１ページの中または表面に配置された第１の加速度検出装置と、前記第１の加速度計のロケーションとは異なったロケーションのところで前記出版物の中または表面に配置された第２の加速度検出装置と、前記第１および第２の加速度検出装置と通信可能に結合され、これで、前記第１および第２の加速度検出装置の出力同士間の差を検出して、ページ同士の互いに対する運動を確定する差動回路とを備え、前記差動回路が、前記通信デバイスの前記状態を制御する信号を生成するように動作する、請求項５８に記載のコンビネーション。
【請求項７０】
前記第１と第２の加速度検出装置は、前記出版物の第１と第２の２つの所定のページそれぞれの中または表面に配置され、これで、前記差動回路が、前記第１と第２のページの互い対する運動を確定する、請求項６９に記載のコンビネーション。
【請求項７１】
出版物読者調査の参加者による接触に関するデータを収集する方法であって：
第２のデバイスに対する第１のデバイスの影響を利用することによって出版物の所定の２ページがいつ閉じられたかを検出するステップと；
２ページがいつ閉じられたかが検出されると、それに応答して前記参加者による前記出版物の使用を示す使用データを生成するステップと；
出版物の所定の２ページが閉じられると、第１の状態で動作するように、そして、前記出版物の前記所定の２ページが開かれると、第２の状態で動作するように無線送信機を制御するステップと；
前記無線送信機の前記動作状態に従って前記無線送信機を用いてデータ回収装置に前記使用データを無線通信するステップと；
を備える方法。
【請求項７２】
前記出版物の隣接する前記所定の２ページがいつ閉じられたかを検出するステップを備える、請求項７１に記載の方法。
【請求項７３】
互いに所定の近接範囲内にある前記出版物の前記所定の２ページのそれぞれ第１と第２のページ上に配置された前記第１と第２のデバイスを用いて、前記出版物の前記所定の２ページが閉じられたことを検出するステップを備える、請求項７１に記載の方法。
【請求項７４】
前記検出するステップがＲＦＩＤタグ、および、電磁気デフレクタと、干渉回路と、減衰回路と、デチューニング回路との内の少なくとも１つによって実行される、請求項７１に記載の方法。
【請求項７５】
前記出版物の所定の動作を検出するステップをさらに備え；前記無線送信機が、前記出版物の前記所定の動作が検出されたかどうかにしたがってさらに制御される、請求項７１に記載の方法。
【請求項７６】
前記動作を検出するステップが、加速度計によって実行される、請求項７５に記載の方法。
【請求項７７】
前記出版物読者調査の前記参加者によって携行される携帯式モニターを提供するステップと；前記無線通信された使用データを前記携帯式モニターによって受信するステップとをさらに備える、請求項７１に記載の方法。
【請求項７８】
前記使用データを無線通信する前記ステップが、前記無線送信機の前記第２の動作状態の間に実行される、請求項７７に記載の方法。
【請求項７９】
前記出版物の所定の２ページがいつ閉じられたかを検出する前記ステップが、前記出版物の前記所定の２ページの加速度の程度を検出して比較するステップを備える、請求項７１に記載の方法。
【請求項８０】
出版物読者調査の参加者による出版物の使用を追跡する出版物読者調査で用いられるシステムであって：
出版物の使用に関する情報を得るためにＲＦＩＤタグを起動させるＲＦＩＤタグ読取装置と、前記得られた情報に関連するデータを記憶するためのストレージとを含む、前記出版物読者調査の参加者によって携行されるようになっている携帯式モニターと；
ＲＦＩＤタグ読取装置によって付勢され、前記出版物に関する情報を前記ＲＦＩＤタグ読取装置に提供するようになっているＲＦＩＤタグと、ユーザによる前記出版物の使用に応じて前記ＲＦＩＤタグによる情報の提供を選択的に許可したり不許可したりするようになっている制御デバイスとを含む出版物と；
を備えるシステム。
【請求項８１】
後に、前記出版物読者調査の前記参加者による出版物の使用に関するレポートが生成されるように、前記携帯式モニターが、前記記憶されているデータをリサーチ会社にダウンロードするように動作する出力デバイスを含む、請求項８０に記載のシステム。
【請求項８２】
前記ＲＦＩＤタグが許可されているときにだけ、前記ＲＲＦＩＤタグ読取装置が前記ＲＦＩＤタグに関連する情報を得ることができるように、前記制御デバイスは、前記出版物が移動すると前記ＲＦＩＤタグを許可するようになっている動作センサーである、請求項８０に記載のシステム。
【請求項８３】
前記携帯式モニターが、前記ＲＦＩＤタグ読取装置が出版物の前記使用についての情報を得ると少なくとも大体そのときに１以上の位置信号を受信するようになっている無線受信機を含む、請求項８０に記載のシステム。
【請求項８４】
前記携帯式モニターが、前記受信された１以上の位置信号に基づいて前記携帯式モニターのロケーションを利用して、前記情報によって示されたような前記出版物の使用を確認するようになっている、請求項８３に記載のシステム。
【請求項８５】
出版物読者調査の参加者による出版物の使用を追跡する方法であって：
前記出版物読者調査の参加者が携帯式モニターを携行するステップと；
出版物の中または表面に配置されたＲＦＩＤタグを前記携帯式モニターによって起動するステップと；
前記出版物の使用に関する情報を前記起動されたＲＦＩＤタグから前記携帯式モニターによって無線で獲得するステップと；
前記参加者による前記出版物の使用にしたがって前記ＲＦＩＤタグによる動作を選択的に許可し、または不許可とするステップと；
を備える方法。
【請求項８６】
後に、前記出版物読者調査の前記参加者による前記出版物の使用に関するレポートが生成されるように、前記携帯式モニターによって得られた情報をリサーチ会社にダウンロードするステップをさらに備える、請求項８５に記載の方法。
【請求項８７】
前記ＲＦＩＤタグの動作を選択的に許可し、または不許可とする前記ステップが、前記出版物の動作を感知して、前記出版物の動作が感知されると前記ＲＦＩＤタグの動作を許可するステップを備える、請求項８５に記載の方法。
【請求項８８】
前記携帯式モニターが前記使用情報を獲得すると、前記携帯式モニターのロケーションを確定するステップをさらに備える、請求項８５に記載の方法。
【請求項８９】
前記確定されたロケーションと前記無線で得られた使用データとを利用して、前記人物による前記出版物の使用を確認するステップをさらに備える、請求項８８に記載の方法。
【請求項９０】
出版物読者調査の参加者による出版物の使用を追跡する出版物読者調査で用いられるシステムであって：
所定のタイプのエネルギが放出されると、それに応答して応答信号を放出するようになっている導電性パターンを含む部分を有する出版物であり、前記応答信号は前記出版物の前記部分の標示を表している、前記出版物と；
前記所定のタイプのエネルギを前記出版物の導電性インクに向けて放出するようになっているエネルギ放出装置を含むモニターであり、前記出版物の前記部分の応答信号を受信するようになっている受信機を含む、前記モニターと；
を備えるシステム。
【請求項９１】
前記導電性パターンが、前記出版物の前記部分の可視内容の少なくとも一部分を形成する、請求項９０に記載のシステム。
【請求項９２】
前記導電性パターンが、導電性インクを備える、請求項９０に記載のシステム。
【請求項９３】
前記出版物の前記部分が広告である、請求項９０に記載の方法。
【請求項９４】
前記出版物が導電性インクを含む複数の部分を有し、前記部分はそのそれぞれが、前記放出されたエネルギに応答してそれぞれの応答信号を放出し、前記それぞれの応答信号がそれぞれの標示を表す、請求項９０に記載の方法。
【請求項９５】
出版物のそれぞれの部分を識別するまたはその特徴づける標示のライブラリを記憶するストレージと；前記ストレージ中の前記ライブラリに含まれる前記標示のうちの１つに対して前記受信した応答信号を適合させて、前記受信された応答信号と関連する前記出版物の前記部分を識別するように動作するプロセッサとをさらに備える、請求項９０に記載の方法。
【請求項９６】
前記モニターが、前記出版物読者調査の参加者によって携行されるようになっている携帯式モニターである、請求項９０に記載の方法。
【請求項９７】
前記モニターが、媒体データの接触を監視するように動作する前記携帯式モニターである、請求項９６に記載の方法。
【請求項９８】
出版物読者調査の参加者による出版物の使用を追跡する方法であって：
前記出版物の前記部分の標示を表す応答信号を生成するために、導電性パターンを含む部分を有する出版物を所定のタイプの放出エネルギに対して暴露するステップと；
前記応答信号を受信するステップと；
前記出版物読者調査に用いられる出版物使用情報を生成するために、前記出版物の前記部分を前記受信した応答信号に基づいて識別するステップと；
を備える方法。
【請求項９９】
前記導電性パターンが、前記出版物の前記部分の可視内容の少なくとも一部分を形成する、請求項９８に記載の方法。
【請求項１００】
前記導電性パターンが、導電性インクを含む、請求項９８に記載の方法。
【請求項１０１】
前記暴露するステップが、前記応答信号を生成するために、前記導電性パターンを含む出版物の可視広告部分を前記所定パターンの放出エネルギに暴露することによって実行される、請求項９８に記載の方法。
【請求項１０２】
出版物のそれぞれの部分を識別するまたはその特徴づける標示のライブラリを記憶するステップと；前記ライブラリに含まれる前記標示のうちの１つに対して前記受信した応答信号を適合させて、前記受信された応答信号と関連する前記出版物の前記部分を識別するステップとをさらに備える、請求項９８に記載の方法。
【請求項１０３】
前記暴露するステップが、前記出版物読者調査の参加者によって携行される携帯式モニターによって実行される、請求項９８に記載の方法。
【請求項１０４】
前記携帯式モニターによって媒体データが接触されることを監視するステップをさらに備える、請求項１０３に記載の方法。
【請求項１０５】
ある人物による出版物の使用に関するデータを収集する方法であって：
経過時間にわたる生データを生成するために、出版物のページが屈曲する際に伴う力を検出するステップと；
ある人物による前記出版物の使用の方法を特徴づける使用データを生成するために、前記生データを処理するステップと、
を備える方法。
【請求項１０６】
出版物のページが屈曲する際に伴う力を検出する前記ステップが、圧電式エレメントを用いて電気エネルギを発生するステップを備える、請求項１０５に記載の方法。
【請求項１０７】
前記出版物の動作を感知するステップを備える、請求項１０５に記載の方法。
【請求項１０８】
前記動作を感知するステップが、前記出版物の加速度、速さ、速度および運動の内の少なくとも１つを感知するステップを備える、請求項１０７に記載の方法。
【請求項１０９】
前記出版物が光に晒されたことを感知するステップを備える、請求項１０５に記載の方法。
【請求項１１０】
前記使用データを前記人物によって携行される携帯式モニターに通信するステップを備える、請求項１０５に記載の方法。
【請求項１１１】
ある人物による出版物の使用に関するデータを収集するシステムであって：
出版物のページが屈曲する際に伴う力を検出して経過時間にわたる生データを生成するように動作する、前記出版物の中または表面にあるトランスデューサと；
前記生データを処理して、ある人物による前記出版物の使用の方法を特徴づける使用データを生成するように動作する、前記出版物の中または表面にあるプロセッサと；
を備えるシステム。
【請求項１１２】
前記トランスデューサが圧電式エレメントを備える、請求項１１１に記載のシステム。
【請求項１１３】
前記出版物の動作を感知するように動作する前記出版物の中または表面上の動作センサーを備える、請求項１１１に記載のシステム。
【請求項１１４】
前記動作センサーが、前記出版物の加速度、速さ、速度および運動の内の少なくとも１つを感知するようになっている、請求項１１３に記載のシステム。
【請求項１１５】
前記出版物が光に晒されたことを感知するように動作する前記出版物の中または表面上の光センサーを備える、請求項１１１に記載のシステム。
【請求項１１６】
前記使用データを前記人物によって携行される携帯式モニターに通信するように動作する前記出版物の中または表面上の通信デバイスを備える、請求項１１１に記載のシステム。
【請求項１１７】
ある人物による出版物の使用に関するデータを収集する方法であり、前記出版物が、所定の表現を隠すために第２の部分に対して接着剤で貼り付けられた第１の部分を含み、前記方法が：
前記第１の部分が前記第２の部分から分離されるとそれに関連する生データを生成するステップと；
人物が前記所定の表現に接触したことを表す使用データを前記生データに基づいて生成するステップと；
を備える方法。
【請求項１１８】
前記第１の部分が前記第２の部分から分離されるとそれに関連する生データを生成する前記ステップが、圧電式エレメント用いて電気エネルギを発生するステップを備える、請求項１１７に記載の方法。
【請求項１１９】
前記出版物の前記第１と第２の部分の内の一方の、前記第１と第２の部分の内の他方に対する動作を感知するステップを備える、請求項１１７に記載の方法。
【請求項１２０】
前記動作を感知するステップが、前記第１と第２の部分の内の前記一方の加速度、速さ、速度および運動の内の少なくとも１つを感知するステップを備える、請求項１１９に記載の方法。
【請求項１２１】
前記第１と第２の部分の内の一方が光に晒されたことを感知するステップを備える、請求項１１７に記載の方法。
【請求項１２２】
前記使用データを前記人物によって携行される携帯式モニターに通信するステップを備える、請求項１１７に記載の方法。
【請求項１２３】
ある人物による出版物の使用に関するデータを収集するシステムであって、前記出版物が、所定の表現を隠すために第２の部分に対して接着剤で貼り付けられた第１の部分を含み、前記システムが：
前記第１の部分が前記第２の部分から分離されるとそれに関連する生データを生成するように動作する、前記出版物の中または表面に配置されたセンサーと；
人物が前記所定の表現に接触したことを表す使用データを前記生データに基づいて生成するように動作する、前記出版物の中または表面に配置されたプロセッサと；
を備えるシステム。
【請求項１２４】
前記センサーが圧電式エレメントを備える、請求項１２３に記載のシステム。
【請求項１２５】
前記出版物の前記第１の部分と前記第２の部分の内の一方の前記第１の部分と前記第２の部分の内の他方に対する動作を検出するように動作する動作センサーを備える、請求項１２３に記載のシステム。
【請求項１２６】
前記動作センサーが、前記第１の部分と前記第２の部分の内の前記一方の加速度、速さ、速度および運動の内の少なくとも１つを感知するように動作する、請求項１２５に記載のシステム。
【請求項１２７】
前記センサーが、前記第１の部分と前記第２の部分の内の一方が光に晒されたことを感知するように動作する光センサーを備える、請求項１２３に記載のシステム。
【請求項１２８】
前記使用データを前記人物によって携行される携帯式モニターに通信するように動作する通信デバイスを備える、請求項１２３に記載のシステム。
【請求項１２９】
ある人物による出版物の使用に関するデータを収集する方法であって：
出版物から包装が取り除かれるとそれに関連した生データを生成するステップと；
人物による前記出版物の使用を表す使用データを前記生データに基づいて生成するステップと；
を備える方法。
【請求項１３０】
圧電式エレメントを用いて電気エネルギを発生するステップを備える、請求項１２９に記載の方法。
【請求項１３１】
前記出版物の動作を感知するステップを備える、請求項１２９に記載の方法。
【請求項１３２】
前記動作を感知するステップが、加速度、速さ、速度および運動の内の少なくとも１つを感知するステップを備える、請求項１３１に記載の方法。
【請求項１３３】
前記出版物が光に晒されたことを感知するステップを備える、請求項１２９に記載の方法。
【請求項１３４】
前記使用データを前記人物によって携行される携帯式モニターに通信するステップを備える、請求項１２９に記載の方法。
【請求項１３５】
ある人物による出版物の使用に関するデータを収集するシステムであって：
出版物から包装が取り除かれるとそれに関連した生データを生成するように動作する、前記出版物の中または表面に配置されたセンサーと；
人物による前記出版物の使用を表すデータを前記生データに基づいて生成するように動作する、前記出版物の中または表面に配置されたプロセッサと；
を備えるシステム。
【請求項１３６】
前記センサーが圧電式エレメントを備える、請求項１３５に記載のシステム。
【請求項１３７】
前記出版物の動作を検出するように動作する動作センサーを備える、請求項１３５に記載のシステム。
【請求項１３８】
前記動作センサーが、前記出版物の加速度、速さ、速度および運動の内の少なくとも１つを感知するように動作する、請求項１３７に記載のシステム。
【請求項１３９】
前記出版物が光に晒されたことを感知するように動作する光センサーを備える、請求項１３５に記載のシステム。
【請求項１４０】
前記使用データを前記人物によって携行される携帯式モニターに通信するように動作する通信デバイスを備える、請求項１３５に記載のシステム。
【請求項１４１】
ある人物による出版物の使用に関するデータを収集する方法であって：
人物が出版物を把持するとそれに関連した生データを生成するステップと；
前記人物による前記出版物の使用を表す使用データを前記生データに基づいて生成するステップと；
を備える方法。
【請求項１４２】
圧電式エレメントを用いて電気エネルギを発生するステップを備える、請求項１４１に記載の方法。
【請求項１４３】
前記出版物の動作を感知するステップを備える、請求項１４１に記載の方法。
【請求項１４４】
前記動作を感知するステップが、加速度、速さ、速度および運動の内の少なくとも１つを感知するステップを備える、請求項１４３に記載の方法。
【請求項１４５】
前記出版物が光に晒されたことを感知するステップを備える、請求項１４１に記載の方法。
【請求項１４６】
前記使用データを前記人物によって携行される携帯式モニターに通信するステップを備える、請求項１４１に記載の方法。
【請求項１４７】
ある人物による出版物の使用に関するデータを収集するシステムであって：
人物が出版物を把持するとそれに関連した生データを生成するように動作する、前記出版物の中または表面に配置されたセンサーと；
前記人物による前記出版物の使用を表す使用データを前記生データに基づいて生成するように動作する、前記出版物の中または表面に配置されたプロセッサと；
を備えるシステム。
【請求項１４８】
前記センサーが圧電式エレメントを備える、請求項１４７に記載のシステム。
【請求項１４９】
前記出版物の動作を検出するように動作する動作センサーを備える、請求項１４７に記載のシステム。
【請求項１５０】
前記動作センサーが、前記出版物の加速度、速さ、速度および運動の内の少なくとも１つを感知するように動作する、請求項１４９に記載のシステム。
【請求項１５１】
前記出版物が光に晒されたことを感知するように動作する光センサーを備える、請求項１４７に記載のシステム。
【請求項１５２】
前記使用データを前記人物によって携行される携帯式モニターに通信するように動作する通信デバイスを備える、請求項１４７に記載のシステム。
【請求項１５３】
ある人物による出版物の使用に関するデータを収集する方法であって：
出版物の外装に人物が印加した圧力を表す生データを生成するステップと；
前記人物による前記出版物の使用を表す使用データを前記生データに基づいて生成するステップと；
を備える方法。
【請求項１５４】
圧電式エレメントを用いて電気エネルギを発生するステップを備える、請求項１５３に記載の方法。
【請求項１５５】
出版物の動作を感知するステップを備える、請求項１５３に記載の方法。
【請求項１５６】
前記動作を感知するステップが、加速度、速さ、速度および運動の内の少なくとも１つを感知するステップを備える、請求項１５５に記載の方法。
【請求項１５７】
前記出版物が光に晒されたことを感知するステップを備える、請求項１５３に記載の方法。
【請求項１５８】
前記使用データを前記人物によって携行される携帯式モニターに通信するステップを備える、請求項１５３に記載の方法。
【請求項１５９】
ある人物による出版物の使用に関するデータを収集するシステムであって：
出版物の外装に人物が印加した圧力を表す生データを生成するように動作する、前記出版物の中または表面に配置されたセンサーと；
前記人物による前記出版物の使用を表す使用データを前記生データに基づいて生成するように動作する、前記出版物の中または表面に配置されたプロセッサと；
を備えるシステム。
【請求項１６０】
前記センサーが圧電式エレメントを備える、請求項１５９に記載のシステム。
【請求項１６１】
前記出版物の動作を検出するように動作する動作センサーを備える、請求項１５９に記載のシステム。
【請求項１６２】
前記動作センサーが、前記出版物の加速度、速さ、速度および運動の内の少なくとも１つを感知するように動作する、請求項１６１に記載のシステム。
【請求項１６３】
前記出版物が光に晒されたことを感知するように動作する光センサーを備える、請求項１５９に記載のシステム。
【請求項１６４】
前記使用データを前記人物によって携行される携帯式モニターに通信するように動作する通信デバイスを備える、請求項１５９に記載のシステム。
【請求項１６５】
ある人物による出版物の使用に関するデータを収集する方法であって：
出版物の隣接する２ページの加速度の差を表す生データを生成するステップと；
前記出版物の前記隣接する２ページが開かれたことを表す使用データを前記生データに基づいて生成するステップと；
を備える方法。
【請求項１６６】
圧電式エレメントを用いて電気エネルギを発生するステップを備える、請求項１６５に記載の方法。
【請求項１６７】
前記出版物の動作を感知するステップを備える、請求項１６５に記載の方法。
【請求項１６８】
前記動作を感知するステップが、加速度、速さ、速度および運動の内の少なくとも１つを感知するステップを備える、請求項１６７に記載の方法。
【請求項１６９】
前記出版物が光に晒されたことを感知するステップを備える、請求項１６５に記載の方法。
【請求項１７０】
前記使用データを前記人物によって携行される携帯式モニターに通信するステップを備える、請求項１６５に記載の方法。
【請求項１７１】
ある人物による出版物の使用に関するデータを収集するシステムであって：
出版物の隣接する２ページの加速度の差を表す生データを生成するように動作する、前記出版物の中または表面に配置されたセンサーと；
前記出版物のその隣接する２ページが開かれたことを表す使用データを前記生データに基づいて生成するように動作する、前記出版物の中または表面に配置されたプロセッサと；
を備えるシステム。
【請求項１７２】
前記センサーが圧電式エレメントを備える、請求項１７１に記載のシステム。
【請求項１７３】
前記出版物の動作を検出するように動作する動作センサーを備える、請求項１７１に記載のシステム。
【請求項１７４】
前記動作センサーが、前記出版物の加速度、速さ、速度および運動の内の少なくとも１つを感知するように動作する、請求項１７３に記載のシステム。
【請求項１７５】
前記出版物が光に晒されたことを感知するように動作する光センサーを備える、請求項１７１に記載のシステム。
【請求項１７６】
前記使用データを前記人物によって携行される携帯式モニターに通信するように動作する通信デバイスを備える、請求項１７１に記載のシステム。
【請求項１７７】
ある人物による出版物の使用に関するデータを収集する方法であって：
綴じ込みはがきが出版物から取り外されていることを示す生データを生成するステップと；
前記綴じ込みはがきが取り外されたことを表す使用データを前記生データに基づいて生成するステップと；
を備える方法。
【請求項１７８】
圧電式エレメントを用いて電気エネルギを発生するステップを備える、請求項１７７に記載の方法。
【請求項１７９】
前記出版物の動作を感知するステップを備える、請求項１７７に記載の方法。
【請求項１８０】
前記動作を感知するステップが、加速度、速さ、速度および運動の内の少なくとも１つを感知するステップを備える、請求項１７９に記載の方法。
【請求項１８１】
前記出版物が光に晒されたことを感知するステップを備える、請求項１７７に記載の方法。
【請求項１８２】
前記使用データを前記人物によって携行される携帯式モニターに通信するステップを備える、請求項１７７に記載の方法。
【請求項１８３】
ある人物による出版物の使用に関するデータを収集するシステムであって：
綴じ込みはがきが出版物から取り外されていることを示す生データを生成するように動作する、前記出版物の中または表面に配置されたセンサーと；
前記綴じ込みはがきが取り外されたことを表す使用データを前記生データに基づいて生成するように動作する、前記出版物の中または表面に配置されたプロセッサと；
を備えるシステム。
【請求項１８４】
前記センサーが圧電式エレメントを備える、請求項１８３に記載のシステム。
【請求項１８５】
前記出版物の動作を検出するように動作する動作センサーを備える、請求項１８３に記載のシステム。
【請求項１８６】
前記動作センサーが、前記出版物の加速度、速さ、速度および運動の内の少なくとも１つを感知するように動作する、請求項１８５に記載のシステム。
【請求項１８７】
前記出版物が光に晒されたことを感知するように動作する光センサーを備える、請求項１８３に記載のシステム。
【請求項１８８】
前記使用データを前記人物によって携行される携帯式モニターに通信するように動作する通信デバイスを備える、請求項１８３に記載のシステム。
【請求項１８９】
ある人物による出版物の使用に関するデータを収集する方法であって：
出版物の並進動作を表す生データを生成するステップと；
前記出版物の使用を表す使用データを前記生データに基づいて生成するステップと；
を備える方法。
【請求項１９０】
圧電式エレメントを用いて電気エネルギを発生するステップを備える、請求項１８９に記載の方法。
【請求項１９１】
前記出版物の動作を感知するステップを備える、請求項１８９に記載の方法。
【請求項１９２】
前記動作を感知するステップが、加速度、速さ、速度および運動の内の少なくとも１つを感知するステップを備える、請求項１９１に記載の方法。
【請求項１９３】
前記出版物が光に晒されたことを感知するステップを備える、請求項１８９に記載の方法。
【請求項１９４】
前記使用データを前記人物によって携行される携帯式モニターに通信するステップを備える、請求項１８９に記載の方法。
【請求項１９５】
ある人物による出版物の使用に関するデータを収集するシステムであって：
出版物の並進動作を表す生データを生成するように動作する、前記出版物の中または表面に配置されたセンサーと；
前記出版物の使用を表す使用データを前記生データに基づいて生成するように動作する、前記出版物の中または表面に配置されたプロセッサと；
を備えるシステム。
【請求項１９６】
前記センサーが圧電式エレメントを備える、請求項１９５に記載のシステム。
【請求項１９７】
前記出版物の動作を検出するように動作する動作センサーを備える、請求項１９５に記載のシステム。
【請求項１９８】
前記動作センサーが、前記出版物の加速度、速さ、速度および運動の内の少なくとも１つを感知するように動作する、請求項１９７に記載のシステム。
【請求項１９９】
前記出版物が光に晒されたことを感知するように動作する光センサーを備える、請求項１９５に記載のシステム。
【請求項２００】
前記使用データを前記人物によって携行される携帯式モニターに通信するように動作する通信デバイスを備える、請求項１９５に記載のシステム。
【請求項２０１】
ある人物による出版物の使用に関するデータを収集する方法であって：
出版物の配置、出版物に印加される圧力、出版物の光に対する暴露、人物の出版物に対する近接、携帯式モニターの出版物に対する近接、人物の配置および携帯式モニターの配置の内の少なくとも１つを含む第１の条件を表す第１のデータを生成するステップと；
出版物の配置、出版物に印加される圧力、出版物の光に対する暴露、人物の出版物に対する近接、携帯式モニターの出版物に対する近接、人物の配置および携帯式モニターの配置の内の少なくとも１つを含む、前記第１の条件とは異なる、第２の条件を表す第２のデータを生成するステップと；
を備える方法。
【請求項２０２】
前記出版物の中または表面上に配置された第１のエレメントによって前記第１の条件を感知するステップと；
前記出版物の中または表面上に配置された第２のエレメントによって前記第２の条件を感知するステップと；
を備える、請求項２０１に記載の方法。
【請求項２０３】
前記第１と第２の条件のうちの一方を、前記出版物の中または表面上に配置された圧電式エレメントによって感知するステップを備える、請求項２０１に記載の方法。
【請求項２０４】
前記第１と第２の条件のうちの一方を、動作センサーによって感知するステップを備える、請求項２０１に記載の方法。
【請求項２０５】
前記第１と第２の条件のうちの一方を、前記出版物の加速度、速さ、速度および運動の内の少なくとも１つを感知することによって感知するステップを備える、請求項２０１に記載の方法。
【請求項２０６】
前記第１と第２の条件のうちの一方を、前記出版物の光に対する晒しを感知することによって感知するステップを備える、請求項２０５に記載の方法。
【請求項２０７】
前記第１と第２の条件の内の一方を、光センサーによって感知するステップを備える、請求項２０１に記載の方法。
【請求項２０８】
前記第１のデータと前記第２のデータとに基づいて使用データを生成するステップを備える、請求項２０１に記載の方法。
【請求項２０９】
人物が携行する携帯式モニターに前記使用データを通信するステップを備える、請求項２０８に記載の方法。
【請求項２１０】
ある人物による出版物の使用に関するデータを収集するシステムであって：
出版物の配置、出版物に印加される圧力、出版物の光に対する暴露、人物の出版物に対する近接、携帯式モニターの出版物に対する近接、人物の配置および携帯式モニターの配置の内の少なくとも１つを含む第１の条件を表す第１のデータを生成するように動作する、前記出版物の中または表面に配置されたプロセッサを備え；
前記プロセッサは、出版物の配置、出版物に印加される圧力、出版物の光に対する暴露、人物の出版物に対する近接、携帯式モニターの出版物に対する近接、人物の配置および携帯式モニターの配置の内の少なくとも１つを含む、第２の条件を表す第２のデータを生成するように動作し；
前記第２の条件は前記第１の条件とは異なる、
システム。
【請求項２１１】
前記出版物の中または表面上に配置され、前記第１の条件を感知するように動作する第１のエレメントと；
前記出版物の中または表面上に配置され、前記第２の条件を感知するように動作する第２のエレメントと；
を備える、請求項２１０に記載のシステム。
【請求項２１２】
前記出版物の中または表面上に配置され、前記第１と第２の条件の内の一方を感知するように動作する圧電式エレメントを備える、請求項２１０に記載のシステム。
【請求項２１３】
前記出版物の中または表面上に配置され、前記第１と第２の条件の内の一方を感知するように動作する動作センサーを備える、請求項２１０に記載のシステム。
【請求項２１４】
前記動作センサーが、加速度、速さ、速度および運動の内の少なくとも１つを感知するように動作する、請求項２０３に記載のシステム。
【請求項２１５】
前記出版物の中または表面上に配置され、前記出版物が光に晒されたことを感知するように動作する光センサーを備える、請求項２１４に記載のシステム。
【請求項２１６】
前記出版物の中または表面上に配置され、前記第１と第２の条件の内の一方を感知するように動作する光センサーを備える、請求項２１０に記載のシステム。
【請求項２１７】
前記プロセッサが、前記第１のデータと前記第２のデータとに基づいて使用データを生成するように動作する、請求項２１０に記載のシステム。
【請求項２１８】
前記出版物の中または表面上に配置され、人物が携行する携帯式モニターに前記使用データを通信するように動作する通信デバイスを備える、請求項２１７に記載のシステム。
【請求項２１９】
前記出版物に貼り付けられた基板を備え、前記プロセッサが前記基板の中または表面に配置される、請求項２１０に記載のシステム。
【請求項２２０】
前記基板が前記出版物の結合部中に埋め込まれた端部を有し、前記システムが、前記基板の端部に隣接して前記基板中または表面上の圧電式センサーと、前記基板の中または表面上の光センサーとを備え、前記プロセッサが圧電式トランスデューサと結合されて圧電式トランスデューサからトランスデューサ出力データを受信し、また、前記光センサーと結合されて光センサーからセンサー出力データを受信し、前記プロセッサが、前記第１のデータと前記第２のデータを、前記トランスデューサ出力データと前記センサー出力データに基づいて生成するように動作する、請求項２１９に記載のシステム。
【請求項２２１】
ある人物による出版物の使用に関するデータを収集するシステムであって：
その端部が出版物の結合部に埋め込まれる基板と；
前記基板の端部に隣接して前記基板中または表面に存在する圧電式センサーと；
前記基板中または表面に、その端部からずれて存在する光センサーと；
前記圧電式トランスデューサと結合されて圧電式トランスデューサから第１のデータを受信し、前記光センサーと結合されて光センサーから第２のデータを受信するプロセッサであり、前記プロセッサは、出版物の使用を表す使用データを前記第１のデータと前記第２のデータとに基づいて生成するように動作する、前記プロセッサと；
前記プロセッサと結合されて、前記システムから前記使用データを通信する通信デバイスと；
を備えるシステム。
【請求項２２２】
出版物の使用と媒体の使用に関するデータを収集する方法であって：
出版物の使用を表す第１のデータを、回答者である人物が携行する携帯式モニター中で生成するステップと；
媒体の使用を表す第２のデータを前記携帯式モニター中で生成するステップと；
を備える、前記方法。
【請求項２２３】
前記第１と第２のデータを前記携帯式モニターに記憶するステップを備える、請求項２２２に記載の方法。
【請求項２２４】
前記携帯式モニターから前記第１と第２のデータをマーケットリサーチで用いられるように通信するステップを備える、請求項２２３に記載の方法。
【請求項２２５】
回答者である人物が携行する携帯式モニターによって、出版物と媒体の使用に関するデータを収集するシステムであって：
回答者の人物が携行するに適したサイズの筐体と；
前記筐体によって持ち運ばれ、出版物の使用を表すデータを回収するように動作する第１のデータ回収装置と；
前記筐体によって持ち運ばれ、媒体の使用を表すデータを収集するように動作する第２のデータ回収装置と；
を備えるシステム。
【請求項２２６】
出版物の使用に関するデータを収集するために、出版物の中または表面で持ち運ばれるデータ収集システムをプログラミングする方法であって：
前記システムが携帯式モニターの通信範囲内にあることを示す第１のデータを前記システムから回答者である人物が携行する前記携帯式モニターに対して通信するステップと；
前記システムの動作を制御するプログラミングデータを含む第２のデータを前記携帯式モニターから前記システムに対して通信するステップと；
を備える方法。
【請求項２２７】
出版物の使用に関するデータを収集するために、出版物の中または表面で持ち運ばれるデータ収集システムをプログラミングするシステムであって：
前記出版物の使用に関するデータを収集するために出版物の中または表面で持ち運ばれ、無線通信機能を有する、データ収集システムと；
回答者である人物が携行するに適し、前記データ収集システムと通信する無線通信機能を有する携帯式モニターであり、前記携帯式モニターが、前記システムの動作を制御するプログラミングデータを含むデータを前記データ収集システムに通信するように動作する、前記携帯式モニターと；
を備えるシステム。
【請求項２２８】
ある人物による出版物の使用に関する使用データを生成する方法であって：
出版物の中または表面の第１データ発生デバイスによって、ある人物による出版物の使用を表す第１のデータを生成するステップと；
前記出版物の中または表面のデバイスによって時間データベースを生成するステップと；
前記出版物の使用を表す使用データを、前記第１のデータと前記時間ベースデータとに基づいて生成するステップと；
を備える方法。
【請求項２２９】
前記出版物の中または表面の第２データ生成デバイスによって第２のデータを生成するステップであって、前記第２のデータが人物による前記出版物の使用を表す、前記ステップを備える、請求項２２８に記載の方法。
【請求項２３０】
前記使用データを、前記第２のデータに基づいて生成するステップを備える、請求項２２９に記載の方法。
【請求項２３１】
ある人物による出版物の使用に関する使用データを生成するシステムであって：
出版物の中または表面にあり、人物による前記出版物の使用を表す第１のデータを生成するように動作する第１データ生成デバイスと；
前記出版物の中または表面にあり、時間ベースデータを生成するように動作する時間ベースデータ生成デバイスと；
前記出版物の使用を表す使用データを前記第１のデータと前記時間ベースデータとに基づいて生成するように動作するプロセッサと；
を備えるシステム。
【請求項２３２】
ある人物による出版物の使用に関するデータを収集する方法であって：
人物が出版物に対して印加した圧力を表す生データを生成するステップと；
前記人物による前記出版物の使用を表す使用データを前記生データに基づいて生成するステップと；
を備える方法。
【請求項２３３】
圧電式エレメントを用いて電気エネルギを発生するステップを備える、請求項２３２に記載の方法。
【請求項２３４】
前記出版物の動作を感知するステップを備える、請求項２３２に記載の方法。
【請求項２３５】
前記動作を感知するステップが、加速度、速さ、速度および運動の内の少なくとも１つを感知するステップを備える、請求項２３４に記載の方法。
【請求項２３６】
前記出版物が光に晒されたことを感知するステップを備える、請求項２３２に記載の方法。
【請求項２３７】
前記使用データを前記人物によって携行される携帯式モニターに通信するステップを備える、請求項２３２に記載の方法。
【請求項２３８】
ある人物による出版物の使用に関するデータを収集するシステムにおいて、前記システムが：
人物が出版物に対して印加した圧力を表す生データを生成するように動作する、前記出版物の中または表面に配置されたセンサーと；
前記人物による前記出版物の使用を表す使用データを前記生データに基づいて生成するように動作する、前記出版物の中または表面に配置されたプロセッサと；
を備えるシステム。
【請求項２３９】
前記センサーが圧電式エレメントを備える、請求項２３８に記載のシステム。
【請求項２４０】
前記出版物の動作を検出するように動作する動作センサーを備える、請求項２３８に記載のシステム。
【請求項２４１】
前記動作センサーが、前記出版物の加速度、速さ、速度および運動の内の少なくとも１つを感知するように動作する、請求項２４０に記載のシステム。
【請求項２４２】
前記出版物が光に晒されたことを感知するように動作する光センサーを備える、請求項２３８に記載のシステム。
【請求項２４３】
前記使用データを前記人物によって携行される携帯式モニターに通信するように動作する通信デバイスを備える、請求項２３８に記載のシステム。
【請求項２４４】
ある人物による出版物の使用に関するデータを収集する方法であり、前記出版物が、所定の表現を隠すために第２の部分に取り外し可能に貼り付けられた第１の部分を含み、前記方法が：
前記第１の部分が前記第２の部分から分離されるとそれに関連する生データを生成するステップと；
人物が前記所定の表現に接触したことを表す使用データを前記生データに基づいて生成するステップと；
を備える方法。
【請求項２４５】
前記第１の部分が前記第２の部分から分離されるとそれに関連する生データを生成する前記ステップが、圧電式エレメントを用いて電気エネルギを発生するステップを備える、請求項２４４に記載の方法。
【請求項２４６】
前記出版物の前記第１と第２の部分の内の一方の、前記第１と第２の部分の内の他方に対する動作を感知するステップを備える、請求項２４４に記載の方法。
【請求項２４７】
前記動作を感知するステップが、前記第１と第２の部分の内の前記一方の加速度、速さ、速度および運動の内の少なくとも１つを感知するステップを備える、請求項２４６に記載の方法。
【請求項２４８】
前記第１と第２の部分の内の一方が光に晒されたことを感知するステップを備える、請求項２４４に記載の方法。
【請求項２４９】
前記使用データを前記人物によって携行される携帯式モニターに通信するステップを備える、請求項２４４に記載の方法。
【請求項２５０】
ある人物による出版物の使用に関するデータを収集するシステムであり、前記出版物は、所定の表現を隠すために第２の部分に対して取り外し可能に貼り付けられた第１の部分を含み、前記システムが：
前記第１の部分が前記第２の部分から分離されるとそれに関連する生データを生成するように動作する、前記出版物の中または表面に配置されたセンサーと；
人物が前記所定の表現に接触したことを表す使用データを前記生データに基づいて生成するように動作する、前記出版物の中または表面に配置されたプロセッサと；
を備えるシステム。
【請求項２５１】
前記センサーが圧電式エレメントを備える、請求項２５０に記載のシステム。
【請求項２５２】
前記出版物の前記第１の部分と前記第２の部分の内の一方の、前記第１の部分と前記第２の部分の内の他方に対する動作を検出するように動作する動作センサーを備える、請求項２５０に記載のシステム。
【請求項２５３】
前記動作センサーが、前記第１の部分と前記第２の部分の内の前記一方の加速度、速さ、速度および運動の内の少なくとも１つを感知するように動作する、請求項２５２に記載のシステム。
【請求項２５４】
前記センサーが、前記第１の部分と前記第２の部分の内の一方が光に晒されたことを感知するように動作する光センサーを備える、請求項２５０に記載のシステム。
【請求項２５５】
前記使用データを前記人物によって携行される携帯式モニターに通信するように動作する通信デバイスを備える、請求項２５０に記載のシステム。
【請求項２５６】
ある人物による出版物の使用に関するデータを収集する方法であって：
ある人物による出版物の使用を表す使用データを提供するステップと；
前記出版物の中または表面のストレージに前記使用データを記憶するステップと；
所定の条件が満たされると、前記記憶された使用データを前記ストレージから通信するステップと；
を備える方法。
【請求項２５７】
ある人物による出版物の使用に関するデータを収集するシステムであって：
前記出版物の中または表面にあり、ある人物による前記出版物の使用を表す使用データを提供するように動作するデータソースと；
前記使用データを記憶するように動作する、前記出版物の中または表面のストレージと；
所定の条件が満たされると、前記記憶された使用データを前記ストレージから通信するように動作する通信デバイスと；
を備えるシステム。
【請求項２５８】
前記データソースがセンサーを備える、請求項２５７に記載のシステム。
【請求項２５９】
前記データソースがデータ受信機を備える、請求項２５７に記載のシステム。
【請求項２６０】
前記データ受信機が無線受信機を備える、請求項２５９に記載のシステム。
【請求項２６１】
ある人物による出版物の使用に関するデータを収集する方法であって：
ある人物による出版物の使用に関連する生データを、前記出版物の中または表面のデータソースによって収集するステップと；
前記出版物の中または表面上のプロセッサによって前記生データを処理して、人物による前記出版物の使用を示す処理済みデータを生成するステップと；
前記処理済みデータをデータ回収装置に通信するステップと；
を備える方法。
【請求項２６２】
生データを収集する前記ステップが、前記出版物の使用を表すエネルギを変換するステップを備える、請求項２６１に記載の方法。
【請求項２６３】
生データを収集する前記ステップが、前記出版物の使用に関連する条件を感知するステップを備える、請求項２６１に記載の方法。
【請求項２６４】
生データを収集する前記ステップが、前記出版物の中または表面上のデータ受信機中のデータを受信するステップを備える、請求項２６１に記載の方法。
【請求項２６５】
前記データ受信機が無線受信機を備える、請求項２６４に記載の方法。
【請求項２６６】
ある人物による出版物の使用に関するデータを収集するシステムであって：
前記出版物の中または表面にあり、前記出版物の使用を表す生データを提供するように動作するデータソースと；
前記生データを処理して、前記出版物の使用を示す処理済みデータを生成するように動作する、前記出版物の中または表面上のプロセッサと；
前記処理済みデータをデータ回収装置に通信するように動作する通信デバイスと；
を備えるシステム。
【請求項２６７】
前記データソースがトランスデューサを備える、請求項２６６に記載のシステム。
【請求項２６８】
前記データソースがセンサーを備える、請求項２６６に記載のシステム。
【請求項２６９】
前記データソースがデータ受信機を備える、請求項２６６に記載のシステム。
【請求項２７０】
前記データ受信機が無線受信機を備える、請求項２６９に記載のシステム。
【請求項２７１】
ある人物による出版物の使用に関するデータを収集する方法であって：
経過時間にわたる生データを生成するために出版物のページが屈曲する際に伴う力を検出するステップと；
前記生データを処理して、ある人物による出版物の使用の方法を特徴づける使用データを生成するステップと；
を備える方法。
【請求項２７２】
出版物のページが屈曲する際に伴う力を検出する前記ステップが、圧電式エレメントを用いて電気エネルギを発生するステップを備える、請求項２７１に記載の方法。
【請求項２７３】
出版物の動作を感知するステップを備える、請求項２７１に記載の方法。
【請求項２７４】
前記動作を感知するステップが、出版物の加速度、速さ、速度および運動の内の少なくとも１つを感知するステップを備える、請求項２７３に記載の方法。
【請求項２７５】
前記出版物の光に対する晒しを感知するステップを備える、請求項２７１に記載の方法。
【請求項２７６】
前記使用データを前記人物によって携行される携帯式モニターに通信するステップを備える、請求項２７１に記載の方法。
【請求項２７７】
ある人物による出版物の使用に関するデータを収集するシステムであって：
経過時間にわたる生データを生成するために、出版物のページが屈曲する際に伴う力を検出するように動作する、前記出版物の中または表面にあるトランスデューサと；
前記生データを処理して、ある人物による前記出版物の使用の方法を特徴づける使用データを生成するように動作する、前記出版物の中または表面上にあるプロセッサと；
を備えるシステム。
【請求項２７８】
前記トランスデューサが圧電式エレメントを備える、請求項２７７に記載のシステム。
【請求項２７９】
前記出版物の動作を感知するように動作する、前記出版物の中または表面上にある動作センサーを備える、請求項２７７に記載のシステム。
【請求項２８０】
前記動作センサーが、前記出版物の加速度、速さ、速度および運動の内の少なくとも１つを感知するように動作する、請求項２７９に記載のシステム。
【請求項２８１】
前記出版物が光に晒されたことを感知するように動作する、前記出版物の中または表面上にある光センサーを備える、請求項２７７に記載のシステム。
【請求項２８２】
前記出版物の中または表面上にあって、前記人物が携行する携帯式モニターに前記使用データを通信するように動作する通信デバイスを備える、請求項２７７に記載のシステム。
【発明の詳細な説明】
【技術分野】
【０００１】
本発明は、出版物の使用に関するデータを収集する方法とシステムに関する。
【背景技術】
【０００２】
テレビやラジオを含むある種のタイプのメディアに対する需要者の接触を、自動的に追跡する広く多様な方法が存在する。テレビやラジオでは、視覚的、聴覚的、またはその他の電子的に受信可能なもののいずれにおいても、受信可能な送信を用いており、したがって、電子デバイスを介する測定によく適している。
【発明の開示】
【発明が解決しようとする課題】
【０００３】
しかしながら、需要者の他の活動形態では、このようなタイプの送信を用いることはなく、したがって、容易には測定不可能である。とくに、雑誌、新聞、書籍などを読むことを含む、需要者による出版物読書活動では、技術的に活発ではない。現在、図書館や、書籍店や、書籍や他のタイプの出版物を販売する他の商業施設では、このような品物の盗難を防止する手段として、無線認識装置（ＲＦＩＤ）を用いている。しかしながら、出版物自体の実際の購入、有料借り出し、または無料借り出しは、その出版物が読まれたか、もしくは複数回読まれたかを識別したり、他の確認をしたり、または、需要者によるその出版物の使用に関する他の有用な情報を識別するためには、不十分な情報である。
【０００４】
このような事情のため、従来、出版物使用追跡においては主に、需要者が、自分自身の読者としての活動を手で記録したり他の識別（たとえば、電話インタビューを通じて）をしたりする需要者の調査やダイアリが、必要とされてきた。残念ながら、調査やダイアリは、手間がかかり、日常の生活に立ち入るものであり、意識的にせよ不注意にせよその報告が誤ったものとなりやすい。
【０００５】
したがって、実施しやすく、誤ったものとなりにくく、需要者のプライバシに対する侵害性を最小にとどめた、出版物使用に関するデータを収集する方法を模索することが望まれている。
【課題を解決するための手段】
【０００６】
本出願では、以下の用語と定義を適用するものとする。
【０００７】
本明細書で用いられる「出版物」という用語は、印刷された形態で人々に対してデータを公にまたは私的に広められる複数の物理的物体の１以上のものを意味し、雑誌、新聞、郵便物、カタログ、書籍、パンフレット、予定表ならびに広告材料および販売促進材料を含むが、これらに限られない。
【０００８】
本明細書で用いられる「データ」という用語は、永久的であるか一時的であるかを問わず、また、可視的か、聴覚的か、音響的か、電気的か、磁気的か、電磁気的か、別様に明示されているかを問わず、情報を表すものであって、なんらかの印、信号、マーク、記号、ドメイン、記号集合、表示、および他のいずれかの物理的形態を意味する。１つの物理的形態で所定の情報を表すものとして用いられる「データ」という用語は、他の物理的形態で同じ所定の情報を表すあらゆるものをその範囲に含むとみなされる。
【０００９】
本明細書で用いられる「メディアデータ」および「メディア」という用語は、空中を介してであるか、ケーブル、衛星、ネットワーク、相互接続ネットワーク（インターネットを含む）を介してであるかを問わず、広くアクセス可能であり、表示され、記憶メディアまたは人間にとって知覚可能な他のいずれかの手段もしくは技法で配送される、出版物以外のデータであって、データの形態や内容に関わらないものを意味し、また、オーディオデータ、ビデオデータ、テキストデータ、画像、アニメーション、データベース、データセット、放送物、表示物、サイン、信号、Ｗｅｂページおよびストリーミングメディアデータを含むがこれらに限られない。
【００１０】
本明細書で用いられる「ネットワーク」という用語は、ネットワークと、インターネットを含む相互接続ネットワークとを含み、特定のネットワークや相互ネットワークに限られるものではない。
【００１１】
「第１の」と「第２の」という用語は、１つのエレメント、集合、データ、物体、ステップ、プロセス、活動またはものを他から区別するために用いられるものであり、別様に明示されない限り、時間的な並びや相対的な位置を指定するために用いられるものではない。
【００１２】
本明細書で用いられる「変形」、「変形された」および「変形する」という用語は、永久的であるか一時的であるかを問わず、また、破壊的であるか非破壊的であるかを問わず、出版物またはその一部の形状もしくは形態の変化、または形状もしくは形態を変化させる動作を意味する。
【００１３】
本明細書で用いられる「結合された」、「〜に結合された」および「〜と結合された」という用語は、それぞれ、２つ以上のデバイス、装置、ファイル、プログラム、メディア、コンポーネント、ネットワーク、システム、サブシステムおよび／または手段について以下に示す関係の１以上を構成するものを意味する。（ａ）直接的であるか、１以上の別のデバイス、装置、ファイル、プログラム、メディア、コンポーネント、ネットワーク、システム、サブシステムまたは手段を介してであるかを問わない接続、（ｂ）直接的であるか、１以上の別のデバイス、装置、ファイル、プログラム、メディア、コンポーネント、ネットワーク、システム、サブシステムまたは手段を介してであるかを問わない、なんらかの通信関係、および／または、（ｃ）１以上のデバイス、装置、ファイル、プログラム、メディア、コンポーネント、ネットワーク、システム、サブシステムまたは手段の動作が、全体または部分的に１以上の他のものの動作に依存するような機能的関係。
【００１４】
本明細書で用いられる「通信する」、「通信している」および「通信」という用語は、送り元から送り先にデータを伝達することと、送り先に伝達されるべきデータを通信用のメディア、システム、デバイスまたはリンクに送出することの双方を含む。
【００１５】
本明細書で用いられる「プロセッサ」という用語は、ハードウエア、ソフトウエアまたはこれら双方のいずれで実現されているかを問わず、処理用のデバイス、装置、プログラム、回路、コンポーネント、システムおよびサブシステムを意味する。
【００１６】
本明細書で用いられる「ストレージ」、「データストレージ」および「メモリ」という用語は、永久的であるか一時的であるかを問わず、データを保持し、また、このような保持されたデータを提供するように働くデータストレージ用のデバイス、装置、プログラム、回路、システム、サブシステムおよびストレージ用メディアを意味する。
【００１７】
本明細書で用いられる「データベース」という用語は、関連するデータの編成された本体を、データやその編成された本体の表示の仕方に関わらず、意味する。たとえば、関連データの編成された本体は、テーブル、マップ、グリッド、パケット、データグラム、ファイル、文書、リストまたは他のいずれかの形態をとる。
【００１８】
本明細書で用いられる「ロケーション」という用語は、固定されているか移動しているかに関わらず、施設、住居、列車、航空機、自動車または他の構造体、乗り物、場所もしくは物などの基準に対する相対的位置、または緯度や経度などの座標系を基準とした位置のことである。
【００１９】
本明細書で用いられる「配置」という用語は、ロケーション、ロケーションの変化、動作、速さ、速度、運動および／または加速度のことである。
【００２０】
「パネリスト」、「回答者」および「参加者」は本明細書では相互互換的に用いられ、電子的調査によるか他の手段によるかを問わず、参加している人間の行動もしく活動またはメディアおよび／または出版物に対する接触に関する、情報を収集する調査に、意識してまたは無意識のうちに参加している人物のことである。
【００２１】
本明細書で用いられる「位置信号」という用語は、その信号からさらなる位置信号を用い、または用いずに、絶対的な意味においてあるいは相対的な意味において位置を導出することができるものを意味する。
【００２２】
本発明のある態様によれば、ある人物による出版物の使用に関するデータを生成するシステムが提供される。本システムは、出版物の所定の部分の中または表面に配置され、変形すると電気エネルギを出力として発生するように動作する圧電式エレメントと；この出版物の中または表面に配置され、上記圧電式エレメントによって出力された電気エネルギに反応して、出版物の使用を示すデータをこの出版物から離れたところにあるデータ受信機に通信する通信デバイスとを備える。
【００２３】
本発明の別の態様によれば、ある人物による出版物の使用に関するデータを生成する方法が提供される。本方法は、出版物の中または表面に配置された圧電式エレメントを用いてこの出版物の使用を示す使用データを生成するステップと；上記使用データをデータ回収装置に通信するステップとを備える。
【００２４】
本発明のさらに別の態様によれば、ある人物による出版物の使用に関するデータを生成するシステムが提供される。本システムは、出版物の中または表面に配置され、人物がその出版物に近づくと出力信号を生成するように動作する人物近接検出装置と；この出版物の中または表面に配置され、上記検出装置による信号出力に反応して、この出版物の使用を示すデータをこの出版物から離れたところにあるデータ受信機に通信する通信デバイスとを備える。
【００２５】
本発明のさらに別の態様によれば、ある人物による出版物の使用に関するデータを生成する方法が提供される。本方法は、出版物に対する人物の近接を検出するステップと；出版物に対する人物の近接が検出されるとそれに反応して、この人物によるこの出版物の使用を示す使用データを生成するステップとを備える。
【００２６】
本発明のさらに別の態様によれば、出版物読者調査の参加者による接触に関するデータを収集する際に用いられるコンビネーションが提供される。このコンビネーションは、出版物の中または表面に配置され、第１の状態と第２の状態で選択的に動作する通信デバイスと；出版物の中または表面に配置され、上記通信デバイスに通信可能に結合され、出版物の所定の２ページが閉じられると第１の状態で上記通信デバイスを動作させ、出版物の所定の２ページが開かれると第２の状態で上記通信デバイスを動作させるようになっている制御デバイスとを備える。
【００２７】
本発明のさらに別の態様によれば、出版物読者調査の参加者による接触に関するデータを収集する方法が提供される。この方法は、第２のデバイスに対する第１のデバイスの影響を利用して出版物の所定の２ページが閉じられるとそれを検出するステップと；所定の２ページが閉じられたことが検出されるとそれに反応して参加者がその出版物を用いたことを示す使用データを生成するステップと；出版物の所定の２ページが閉じられると第１の状態で動作するように、および出版物の所定の２ページが開かれると第２の状態で動作するように、無線送信機を制御するステップと；上記無線送信機の動作状態にしたがって上記無線送信機によって使用データをデータ回収装置に無線通信するステップと、を備える。
【００２８】
本発明のさらに別の態様によれば、出版物読者調査の参加者による出版物の使用を追跡する出版物読者調査で用いられるシステムが提供される。本システムは、ＲＦＩＤタグを起動して出版物の使用に関する情報を得るためのＲＦＩＤタグ読取装置および得られた情報に関連するデータを記憶するためのストレージを含み、出版物読者調査の参加者によって携行されるようになっている携帯式モニターと；ＲＦＩＤタグ読取装置によってエネルギが与えられるようになっており、かつ出版物に関する情報をＲＦＩＤタグ読取装置に提供するようになっているＲＦＩＤタグと、出版物の使用にしたがったＲＦＩＤタグによる情報の提供を、ユーザが選択的に許可したり不許可としたりするようになっている制御デバイスとを含む出版物を備える。
【００２９】
本発明のさらに別の態様によれば、出版物読者調査の参加者による出版物の使用を追跡する方法が提供される。本方法は、出版物読者調査の参加者が携帯式モニターを携行するステップと；出版物の中または表面に配置されたＲＦＩＤタグを上記携帯式モニターによって起動するステップと；出版物の使用に関する情報を上記起動されたＲＦＩＤタグから上記携帯式モニターによって無線で得るステップと；出版物の使用にしたがったＲＦＩＤタグによる動作を、参加者が選択的に許可したり不許可としたりするステップとを備える。
【００３０】
本発明のさらに別の態様によれば、出版物読者調査の参加者による出版物の使用を追跡する出版物読者調査で用いられるシステムが提供される。本システムは、所定のタイプの放出エネルギに応答して応答信号を放出するようになっている導電パターンを含む部分を有する出版物であり、上記応答信号は上記出版物の上記部分の標示を表している、上記出版物と；所定のタイプのエネルギを上記出版物の導電性インクに向けて放出するようになっているエネルギ放出装置を含むモニターであり、上記モニターが、上記出版物の部分の応答信号を受信するようになっている受信機を含む、モニターとを備える。
【００３１】
本発明のさらに別の態様によれば、出版物読者調査の参加者による出版物の使用を追跡する方法が提供される。本方法は、導電性パターンを含む部分を有する出版物を所定のタイプの放出エネルギに接触させて、上記出版物の上記部分の標示を表す応答信号を生成するステップと；応答信号を受信するステップと；受信された応答信号に基づいて、上記出版物の部分を識別して、出版物読者調査に用いられる出版物使用情報を生成するステップとを備える。
【００３２】
本発明のさらに別の態様によれば、ある人物による出版物の使用に関するデータを収集する方法が提供される。本方法は、経過時間にわたる生データを生成するために出版物のページが屈曲する際に伴う力を検出するステップと；生データを処理して、ある人物による出版物の使用の方法を特徴づける使用データを生成するステップとを備える。
【００３３】
本発明のさらに別の態様によれば、ある人物による出版物の使用に関するデータを収集するシステムが提供される。本システムは、経過時間にわたる生データを生成するために出版物のページが屈曲する際に伴う力を検出するように動作する、出版物の中または表面にあるトランスデューサと；生データを処理して、ある人物による出版物の使用の方法を特徴づける使用データを生成するように動作する、出版物の中または表面にあるプロセッサとを備える。
【００３４】
本発明のさらに別の態様によれば、ある人物による出版物の使用に関するデータを収集する方法であって、この出版物には、所定の表現を隠すように第２の部分に対して接着剤で貼り付けられた第１の部分が含まれる、上記方法が提供される。本方法は、第１の部分が上記第２の部分から分離されるとそれに関連する生データを生成するステップと；ある人物による上記所定の表現に接触したことを表す使用データを上記生データに基づいて生成するステップとを備える。
【００３５】
本発明のさらに別の態様によれば、ある人物による出版物の使用に関するデータを収集するシステムであって、この出版物には、所定の表現を隠すように第２の部分に対して接着剤で貼り付けられた第１の部分が含まれる、上記システムが提供される。本システムは、第１の部分が第２の部分から分離されるとそれに関連する生データを生成するように動作し、上記出版物の中または表面に配置されたセンサーと；ある人物による上記所定の表現に接触したことを表す使用データを上記生データに基づいて生成するように動作する、上記出版物の中または表面に配置されたプロセッサとを備える。
【００３６】
本発明のさらに別の態様によれば、ある人物による出版物の使用に関するデータを収集する方法が提供される。本方法は、出版物から包装が取り除かれるとそれに関連した生データを生成するステップと；ある人物による出版物の使用を表す使用データを上記生データに基づいて生成するステップとを備える。
【００３７】
本発明のさらに別の態様によれば、ある人物による出版物の使用に関するデータを収集するシステムが提供される。本システムは、出版物から包装が取り除かれるとそれに関連した生データを生成するように動作し、上記出版物の中または表面に配置されたセンサーと；ある人物によるその出版物の使用を表す使用データを上記生データに基づいて生成するように動作する、上記出版物の中または表面に配置されたプロセッサとを備える。
【００３８】
本発明のさらに別の態様によれば、ある人物による出版物の使用に関するデータを収集する方法が提供される。本方法は、人物が出版物を把持するとそれに関連した生データを生成するステップと；その人物によるその出版物の使用を表す使用データを上記生データに基づいて生成するステップとを備える。
【００３９】
本発明のさらに別の態様によれば、ある人物による出版物の使用に関するデータを収集するシステムが提供される。本システムは、人物が出版物を把持するとそれに関連した生データを生成するように動作し、上記出版物の中または表面に配置されたセンサーと；その人物によるその出版物の使用を表す使用データを上記生データに基づいて生成するように動作し、上記出版物の中または表面に配置されたプロセッサとを備える。
【００４０】
本発明のさらに別の態様によれば、ある人物による出版物の使用に関するデータを収集する方法が提供される。本方法は、出版物の外装に人物が印加した圧力を表す生データを生成するステップと；その人物によるその出版物の使用を表す使用データを上記生データに基づいて生成するステップとを備える。
【００４１】
本発明のさらに別の態様によれば、ある人物による出版物の使用に関するデータを収集するシステムが提供される。本システムは、出版物の外装に人物が印加した圧力を表す生データを生成するように動作し、上記出版物の中または表面に配置されたセンサーと；その人物によるその出版物の使用を表す使用データを上記生データに基づいて生成するように動作し、上記出版物の中または表面に配置されたプロセッサとを備える。
【００４２】
本発明のさらに別の態様によれば、ある人物による出版物の使用に関するデータを収集する方法が提供される。本方法は、出版物の隣接する２ページの加速度の差を表す生データを生成するステップと；その出版物のその隣接する２ページが開いかれたことを表す使用データを上記生データに基づいて生成するステップとを備える。
【００４３】
本発明のさらに別の態様によれば、ある人物による出版物の使用に関するデータを収集するシステムが提供される。本システムは、出版物の隣接する２ページの加速度の差を表す生データを生成するように動作し、上記出版物の中または表面に配置されたセンサーと；その出版物のその隣接する２ページを開かれたことを表す使用データを上記生データに基づいて生成するように動作し、上記出版物の中または表面に配置されたプロセッサとを備える。
【００４４】
本発明のさらに別の態様によれば、ある人物による出版物の使用に関するデータを収集する方法が提供される。本方法は、綴じ込みはがきが出版物から取り外されていることを示す生データを生成するステップと；その綴じ込みはがきが取り外されたことを表す使用データを上記生データに基づいて生成するステップとを備える。
【００４５】
本発明のさらに別の態様によれば、ある人物による出版物の使用に関するデータを収集するシステムが提供される。本システムは、綴じ込みはがきが出版物から取り外されていることを示す生データを生成するように動作し、上記出版物の中または表面に配置されたセンサーと；その綴じ込みはがきが取り外されたことを表す使用データを上記生データに基づいて生成するように動作し、上記出版物の中または表面に配置されたプロセッサとを備える。
【００４６】
本発明のさらに別の態様によれば、ある人物による出版物の使用に関するデータを収集する方法が提供される。本方法は、出版物の並進動作を表す生データを生成するステップと；その出版物の使用を表す使用データを上記生データに基づいて生成するステップとを備える。
【００４７】
本発明のさらに別の態様によれば、ある人物による出版物の使用に関するデータを収集するシステムが提供される。本システムは、出版物の並進動作を表す生データを生成するように動作し、上記出版物の中または表面に配置されたセンサーと；その出版物の使用を表す使用データを上記生データに基づいて生成するように動作し、上記出版物の中または表面に配置されたプロセッサとを含む。
【００４８】
本発明のある態様によれば、ある人物による出版物の使用に関するデータを収集する方法が提供される。本方法は、出版物の配置、出版物に印加される圧力、出版物の光に対する晒され、人物の出版物に対する近接、携帯式モニターの出版物に対する近接、人物の配置および携帯式モニターの配置の内の少なくとも１つを含む第１の条件を表す第１のデータを生成するステップと；出版物の配置、出版物に印加される圧力、出版物の光に対する接触、人物の出版物に対する近接、携帯式モニターの出版物に対する近接、人物の配置および携帯式モニターの配置の内の少なくとも１つを含む、第１の条件とは異なる、第２の条件を表す第２のデータを生成するステップと、を備える。
【００４９】
本発明の別の態様によれば、ある人物による出版物の使用に関するデータを収集するシステムが提供される。本システムは、出版物の配置、出版物に印加される圧力、出版物の光への晒され、人物の出版物に対する近接、携帯式モニターの出版物に対する近接、人物の配置および携帯式モニターの配置の内の少なくとも１つを含む第１の条件を表す第１のデータを生成するように動作し、上記出版物の中または表面に配置されたプロセッサで；出版物の配置、出版物に印加される圧力、出版物の光に対する接触、人物の出版物に対する近接、携帯式モニターの出版物に対する近接、人物の配置および携帯式モニターの配置の内の少なくとも１つを含む、第１の条件とは異なる、第２の条件を表す第２のデータを生成するように動作し、上記出版物の中または表面に配置された上記プロセッサを備える。
【００５０】
本発明のさらに別の態様によれば、ある人物による出版物の使用に関するデータを収集するシステムが提供される。本システムは、その端部が出版物の結合部に埋め込まれる基板と；上記基板の端部に隣接して上記基板中または表面に存在する圧電式センサーと；上記基板中または表面に、その端部からずれて存在する光センサーと；圧電式トランスデューサと結合されて圧電式トランスデューサから第１のデータを受信し、光センサーと結合されて光センサーから第２のデータを受信するプロセッサであり、出版物の使用を表す使用データを上記第１のデータと上記第２のデータとに基づいて生成するように動作する、上記プロセッサと；上記プロセッサと結合されて、上記システムから上記使用データを通信する通信デバイスと、を備える。
【００５１】
本発明のある態様によれば、出版物の使用とメディアの使用に関するデータを収集する方法が提供される。本方法は、出版物の使用を表す第１のデータを、回答者である人物が携行する携帯式モニター中で生成するステップと；メディアの使用を表す第２のデータを上記携帯式モニター中で生成するステップとを備える。
【００５２】
本発明の別の態様によれば、回答者である人物が携行する携帯式モニターによって、出版物とメディアの使用に関するデータを収集するシステムが提供される。本システムは、回答者の人物が携行するに適したサイズの筐体と；上記筐体によって持ち運ばれ、出版物の使用を表すデータを回収するように動作する第１のデータ回収装置と；上記筐体によって持ち運ばれ、メディアの使用を表すデータを回収するように動作する第２のデータ回収装置とを備える。
【００５３】
本発明のある態様によれば、出版物の使用に関するデータを収集するために、出版物の中または表面で持ち運ばれるデータ収集システムをプログラミングする方法が提供される。本方法は、上記システムが携帯式モニターの通信範囲内にあることを示す第１のデータを上記システムから回答者である人物が携行する上記携帯式モニターに対して通信するステップと；上記システムの動作を制御するプログラミングデータを含む第２のデータを上記携帯式モニターから上記システムに対して通信するステップとを備える。
【００５４】
本発明の別の態様によれば、出版物の使用に関するデータを収集するために、出版物の中または表面で持ち運ばれるデータ収集システムをプログラミングするシステムが提供される。本システムは、上記出版物の使用に関するデータを収集するために出版物の中または表面で持ち運ばれ、無線通信機能を有するデータ収集システムと；回答者である人物が携行するに適し、上記データ収集システムと通信する無線通信機能を有する携帯式モニターであり、上記携帯式モニターが、上記システムの動作を制御するプログラミングデータを含むデータを上記データ収集システムに通信するように動作する、上記携帯式モニターとを備える。
【００５５】
本明細書で用いられる「時間ベースデータ」という用語は、絶対的であるか相対的であるかに関わらず時間を表すデータとクロックデータとをその範囲に含む。
【００５６】
本発明のある態様によれば、ある人物による出版物の使用に関する使用データを生成する方法が提供される。本方法は、出版物の中または表面の第１データ生成デバイスによって第１のデータを生成するステップであり、上記第１のデータは人物による上記出版物の使用を示す、上記ステップと；出版物の中または表面のデバイスによって時間ベースデータを生成するステップと；上記出版物の使用を表す使用データを上記第１のデータと上記時間ベースデータとに基づいて生成するステップとを備える。
【００５７】
本発明の別の態様によれば、ある人物による出版物の使用に関する使用データを生成するシステムが提供される。本システムは、出版物の中または表面にあり、また、人物による上記出版物の使用を表す第１のデータを生成するように動作する第１データ生成デバイスと；出版物の中または表面にあり、また、時間ベースデータを生成するように動作する時間ベースデータ生成デバイスと；上記出版物の使用を表す使用データを上記第１のデータと上記時間ベースデータとに基づいて生成するように動作するプロセッサとを備える。
【００５８】
本発明のある態様によれば、ある人物による出版物の使用に関するデータを収集する方法が提供される。本方法は、人物が出版物に対して印加した圧力を表す生データを生成するステップと；上記人物による上記出版物の使用を表す使用データを上記生データに基づいて生成するステップとを備える。
【００５９】
本発明の別の態様によれば、ある人物による出版物の使用に関するデータを収集するシステムが提供される。本システムは、人物が出版物に対して印加した圧力を表す生データを生成する、出版物の中または表面に配置されたセンサーと；上記人物による上記出版物の使用を表す使用データを上記生データに基づいて生成するように動作する、出版物の中または表面に配置されたプロセッサとを備える。
【００６０】
本発明のある態様によれば、ある人物による出版物の使用に関するデータを収集する方法であり、上記出版物が所定の表現を隠すために第２の部分に取り外し可能に貼り付けられた第１の部分を含む、上記方法が提供される。本方法は、上記第１の部分が上記第２の部分から分離されるとそれに関連する生データを生成するステップと；人物が上記所定の表現に接触したことを表す使用データを上記生データに基づいて生成するステップとを備える。
【００６１】
本発明のさらに別の態様によれば、ある人物による出版物の使用に関するデータを収集するシステムにであって、所定の表現を隠すために第２の部分に対して取り外し可能に貼り付けられた第１の部分が含まれる、上記システムが提供される。本方法は、上記第１の部分が上記第２の部分から分離されるとそれに関連する生データを生成するステップと；人物が上記所定の表現を見たことを表す使用データを上記生データに基づいて生成するステップとを備える。
【００６２】
本発明のある態様によれば、ある人物による出版物の使用に関するデータを収集する方法が提供される。本方法は、ある人物による出版物の使用を表す使用データを提供するステップと；上記出版物の中または表面のストレージに上記使用データを記憶するステップと；所定の条件が満たされると、上記記憶された上記ストレージから使用データを通信するステップを含む。
【００６３】
本発明の別の態様によれば、ある人物による出版物の使用に関するデータを収集するシステムが提供される。本システムは、上記出版物の中または表面にあり、また、ある人物による上記出版物の使用を表す使用データを提供するように動作するデータソースと；上記使用データを記憶するように動作する、上記出版物の中または表面のストレージと；所定の条件が満たされると、上記記憶された使用データを上記ストレージから記憶するように動作する通信デバイスとを備える。
【００６４】
本発明のある態様によれば、ある人物による出版物の使用に関するデータを収集する方法が提供される。本方法は、ある人物による出版物の使用に関連する生データを、上記出版物の中または表面のデータソースによって収集するステップと；上記出版物の中または表面のプロセッサによって上記生データを処理して、人物による上記出版物の使用を示す処理済みデータを生成するステップと；上記処理済みデータをデータ回収装置に通信するステップとを備える。
【００６５】
本発明の別の態様によれば、ある人物による出版物の使用に関するデータを収集するシステムが提供される。本システムは、上記出版物の中または表面にあり、また、上記出版物の使用を表す生データを提供するデータソースと；上記生データを処理して、上記出版物の使用を示す処理済みデータを生成するように動作する、上記出版物の中または表面のプロセッサと；上記処理済みデータをデータ回収装置に通信するように動作する通信デバイスとを備える。
【００６６】
本発明のある態様によれば、ある人物による出版物の使用に関するデータを収集する方法が提供される。本方法は、経過時間にわたる生データを生成するために出版物のページが屈曲する際に伴う力を検出するステップと；上記生データを処理して、ある人物による出版物の使用の方法をを特徴づける使用データを生成するステップとを備える。
【００６７】
本発明の別の態様によれば、ある人物による出版物の使用に関するデータを収集するシステムが提供される。本システムは、経過時間にわたる生データを生成するために、出版物のページが屈曲する際に伴う力を検出するように動作する、上記出版物の中または表面にあるトランスデューサと；生データを処理して、ある人物による上記出版物の使用の方法を特徴づける使用データを生成するように動作する、上記出版物の中または表面にあるプロセッサとを備える。
【発明を実施するための最良の形態】
【００６８】
本発明は、出版物の使用に関するまたは関連するデータを収集することに関する。ここに述べるさまざまな実施形態では、出版物には、１以上の電子デバイスが取り付けられ、外部デバイスは、取り付けられた出版物がどのように利用されているかに関する有用な情報を収集するように動作する。以下に述べるある実施形態では、出版物使用調査に参加するパネリストは、出版物の使用に関連する情報を収集する携帯式モニターを携行し、その携帯式モニターは、その後、出版物の使用に関する有用なレポート（たとえば、マーケットリサーチ会社によって）の生成における使用のため、収集された情報を中央処理装置にダウンロードまたは他の転送をする。このようなレポートは、パネリストによる出版物の使用活動をパネリストの人口統計と共に具体的に示すことができる。他のある種の実施形態では、以下にも説明するように、一般的にはパネリストとは関連していない１以上のデータ回収デバイスが、出版物の使用に関連する情報を収集して、その後に、その収集された情報を中央処理装置に供給してさらに処理されるようにする。
【００６９】
ここで図面を参照すると、図１に、出版物使用調査の参加者による出版物２０の使用に関するデータを収集するために用いられるシステムのいくつかの実施形態の略図を示す。この参加者は、参加者による出版物２０の使用に関する出版物使用データを受信し、および記憶し、および／または通信するように動作する携帯式モニター２４を自身が携行する。この出版物使用データは、出版物２０の中または表面にある無線送信機２８から無線通信されたデータに対応し、または基づいている。
【００７０】
ある実施形態では、無線送信機２８は、図１に示すように出版物２０のカバー２１に貼り付けられているまたは担持される。ある実施形態では、無線送信機２８は、出版物２０の結合部または背３２に貼り付けられるか担持されるかその内部にある。ある実施形態では、無線送信機２８は、出版物２０のページ、カードまたは他の内部部品中に貼り付けられたりこれによって担持されたりする。ある実施形態では、携帯式モニター２４にデータを通信する無線送信機を複数使用している。
【００７１】
ある実施形態では、無線送信機２８は、マイクロ波以下の周波数の範囲から選択された１以上の周波数で動作する無線周波数（ＲＦ）送信機である。また、無線送信機２８が赤外線、可視光線または音響エネルギを送信するような実施形態もある。
【００７２】
ある実施形態では、使用データは、無線送信機２８から、携帯式モニター２４に対して通信する代わりにまたはこれに通信することに加えてデータ回収デバイスまたはシステム３６に通信される。このような実施形態のある種の実施形態では、無線送信機２８は、参加者の家庭に置かれている（たとえば、壁に取り付けられたりデスク上に置かれていたりする）基地局（たとえばシステム３６）と通信して、出版物に関連するデータを伝達する。他のある実施形態では、基地局は本屋や図書館などの商用施設内に配置される。基地局を採用しているこのような実施形態の場合、出版物の使用に関するレポートの準備を可能とするために、基地局は伝達されたデータを中央処理装置（簡潔化と明瞭化のため図示せず）に通信する。Ｂｒｏｏｋｓらの名義で米国特許第５，４８３，２７６号明細書に開示されている種類の基地局が用いられることが有利であり、上記米国出願は本出願の譲受人に譲受され、参照によってここに組み込まれる。
【００７３】
携帯式モニターを用いるさまざまな実施形態において、この携帯式モニターが収集されたデータをデータ回収デバイスまたはシステム３６に転送すると、データ回収デバイスまたはシステム３６が次に、このデータを上記の（または別の）中央処理装置に転送して、出版物の使用に関するレポートの準備を可能とする。
【００７４】
図２に、ある出版物使用調査の参加者による出版物４０の使用に関するデータを生成するように動作する出版物使用データ生成システムのある実施形態の略図を示す。図２の実施形態では、圧電式トランスデューサ４４は出版物４０のページ４８に貼り付けられたりこれによって担持されたりする。出版物４０のページ４８がページをめくられることなどによって屈曲すると、圧電式トランスデューサ４４もまた屈曲し、これによって、このトランスデューサが、リード線５２と５４に出力される電気信号を生成する。リード線５２と５４は無線送信機５８と接続されており、この送信機が反応して、圧電式トラスデューサ４４の出力に基づいたデータを含む無線信号を送信し、この信号が図１のモニター２４などの携帯式モニター、データ回収デバイス３６または別のデータ回収装置によって受信されるようにする。
【００７５】
ある実施形態では、トランスデューサ４４は、ページ４８の表面または中にある圧電式ポリマーフィルムを含んでおり、これによって、ページ４８が屈曲すると、このフィルムに圧力が加わって、これに対応する電気信号が生成されてリード線５２と５４によって無線送信機５８に供給される。ある実施形態の無線送信機５８はこの信号を処理して、たとえば雑音を抑制する。また、他の実施形態では、無線送信機５８は、この信号を実質的にそのままモニターやデータ回収装置に通信する。ある実施形態では、トランスデューサ４４は電力を供給して、送信機５８がその無線信号を送信できるようにする。
【００７６】
ある実施形態では、ある出版物の複数ページにトランスデューサ４４と無線送信機５８と（便利なように、本明細書では「トランスデューサ／送信機」とも呼ばれる）が取り付けられる。トランスデューサ／送信機のそれぞれは、互いに異なった信号を送信し、これにより、データ回収装置は、それぞれの送信を区別可能となり、さらに、特定のページまたは、めくられたページを識別することが可能となる。ある実施形態では、出版物の選択されたページ、たとえば、１ページおきや２ページおきにだけトランスデューサ／送信機が取り付けられる。ある実施形態では、出版物のそれぞれの節の１ページ目（あるいは、２ページ目や最後のページなど）にトランスデューサ／送信機を備える。さらにある実施形態では、出版物の複数のページにそれぞれのトランスデューサ４４を取り付け、このトランスデューサのそれぞれを、この出版物内部に配置された単一の無線送信機（たとえば送信機５８）に結合する。無線送信機は、起動された特定のトランスデューサに基づいて、出版物のめくられた特定のページを表すデータを送信する。
【００７７】
ある実施形態においては、加速度計５５などの動作検出装置が装備されていて、出版物が使用中であることを示す動作を検出するようになっている。動作検出装置は、出版物が使用中であると推論するに十分な動作を検出すると許可信号を送信機５８に提供し、これにより、送信機５８は信号を送信することが可能となる。ある実施形態では、動作検出装置をトランスデューサ４４と一緒に用い、これによって、トランスデューサと動作検出装置の双方を「起動」しないと、送信機５８が信号を送信できないようになっている。代替実施形態では、送信機５８は、デバイスの一方または双方が起動されると信号を送信する。他のある実施形態では、動作検出装置はトランスデューサ無しで用いられる。
【００７８】
図３に、広告などの内容を隠すため、または芳香を含ませるため、ページ６６のサンプルに折り返された外部フラップ７２を含む出版物６２の略図を示す。フラップ７２はページ６６の領域７６に感光性接着剤で貼り付けられており、これにより、フラップ７２もページ６６も損傷することなく、読者はフラップ７２をページ６６から分離することが可能となる。圧電式トランスデューサ８０は、ページ６６と領域７６に挟まれた圧電式ポリマーフィルムなどの圧電素子を含んでおり、フラップ７２をページ６６から分離すると圧電素子に圧力がかかる。この圧力に反応して、トランスデューサ８０は電気信号を生成して、リード線８８と９２によって自身に結合されている無線送信機８４に出力する。無線送信機８４は、この信号を処理して無線送信するかまたは別様にそれを実質的のそのままモニターまたはデータ回収装置に通信する。ある実施形態では、トラスデューサ８０は電力を供給して、送信機８４がその無線信号を送信することを可能とする。
【００７９】
図４に、出版物１００の使用を示すために、読者の手が出版物１００をつかんだことを検出する圧電式トランスデューサが搭載されたカバー１０２を有する出版物１００の略図を示す。圧電式トランスデューサは、出版物１００のカバーの重要な部分の中または表面に圧電式ポリマーフィルム１０４を含んでいる。フィルム１０４を用いて、出版物が把持されたことによる圧力を検出する実施形態もあれば、読者の指からの熱による温度変化を検出するように動作する実施形態もある。ある実施形態では、圧電式センサーがセラミック製エレメントを備えている。
【００８０】
ある有利な実施形態では、ユーザが出版物を把持したことの正確な検出の「らしさ」を向上させるために、フィルム１０４を用いて、圧力と体温の双方を検出している。体温に反応してこのフィルムが生成する電気信号は出版物が把持された圧力によって生成される電気信号とは異なるため、この２つの影響を、たとえば、フィルム１０４によって生成された信号の周波数成分に基づいて互いに別々に検出することが可能である。
【００８１】
フィルム１０４は、リード線１１２と１１６を介して無線送信機１０８と結合され、その電気信号を無線送信機１０８に供給している。ある実施形態では、リード線１１２と１１６は、導電性インクなどの導電性メディアをカバー上に配置して備えている。ある実施形態では、送信機１０８は信号を処理して、たとえば、雑音を減少させたり、または、圧力および／または温度の変化を示す信号成分を信号から検出したりしている。送信機１０８は、処理された信号をモニターもしくは他のデータ回収装置に無線送信するかまたはトランスデューサから受信した信号を実質的に変更しないで送信する。ある実施形態では、フィルム１０４は電力を供給して、送信機１０８がその無線信号を送信できるようにする。
【００８２】
ある実施形態では、フィルム１０４などの近接センサーは、人物が出版物の近傍に近づくとそれを検出するように設計される。ある実施形態では、近接は、人物の肉体が発生させる電界効果によって検出される。ある実施形態では、近接は、センサーの電気的特長の変化によって検出される。さらに他の実施形態では、近接は、出版物の中または表面にあるトランスデューサが受信した熱エネルギに基づいて検出される。ある実施形態では、圧電式ポリマーフィルムは、その人物が出版物を把持したことを検出したりしなかったりしても、人物が存在するとその体温を検出する。このような実施形態のそれぞれにおいて、送信機が、人物の特定の活動を示すデータを無線送信する。
【００８３】
図４Ａに、圧電式トラスデューサ１０５が搭載されている出版物（簡潔化と明瞭化のため図示せず）を包んでいる包装１０３の略図を示す。圧電式トランスデューサ１０５は、包装１０３の中または表面に圧電式ポリマーフィルムを含む。このフィルムは、出版物から包装１０３を取り除くとそれに起因する圧力を検出する。
【００８４】
トランスデューサ１０５はリード線１１３と１１５を介して無線送信機１０９に結合されており、これで、その電気信号を無線送信機１０９に供給する。ある実施形態では、リード線１１３と１１５は、カバー上に配置された、導電性インクなどの導電性メディアを備える。ある実施形態では、送信機１０９はこの信号を処理して、たとえば、雑音を減少させたり、または、圧力および／または温度の変化を示す信号成分を信号から検出したりしている。送信機１０９は、処理された信号をモニターもしくは他のデータ回収装置に無線送信するかまたはトランスデューサから受信した信号を実質的に変更しないで送信する。ある実施形態では、フィルム１０５は電力を供給して、送信機１０９がその無線信号を送信できるようにする。
【００８５】
図５に、ページ１２２を開いている出版物１２０の略図を示す。無線送信機１２４は、ページ１２２の中または表面に配置され、ページ１２２を開くことによって出版物の使用を示す信号を無線で送信するように動作する。出版物１２０のページ１２６はページ１２２に面している。デバイス１２８はページ１２６の中または表面に配置され、ページ１２２と１２４が互いに閉じられたときにそれが無線送信機１２４に十分近づくように位置付けされている。この位置で、デバイス１２８は送信機１２４と無線で交信し、これで送信機１２４が第１の状態となる。出版物を開いてそのページ１２２と１２６が互いに分離されると、送信機１２４は第２の状態となる。ある実施形態では、送信機１２４はその第１の状態にある場合には非送信モードに維持されるが、第２の状態にあれば送信モードに切り替えられる。このような実施形態では、携帯式モニターまたは他のデータ回収装置は、送信機１２４からの送信を、出版物１２０のページ１２２および／または１２６が開いていることを示すものとして受信する。他の実施形態では、送信機１２４は、その２つのモードで互いに異なったデータを送信し、これにより、携帯式モニターまたは他のデータ回収装置が、出版物１２０のページ１２２と１２６が開かれているかどうかを判定することが可能となるようにする。
【００８６】
ある実施形態では、加速度計１２５などの動作検出装置は、出版物の動作を感知するために、出版物の中や表面に置かれる。動作検出装置は、送信機１２４と結合され、出版物が使用中であることを示すに十分な出版物の動作が検出されると、送信機１２４に対して許可信号を提供する。このような許可信号を受信すると、送信機１２４は送信可能とされる。
【００８７】
ある実施形態では、無線送信機１２４は、ページ１２２と１２６が互いに閉じられるとデバイス１２８と無線により結合されるアンテナ回路を有するＲＦＩＤタグを備えている。このような実施形態のうちのいくつかでは、デバイス１２８は、送信機１２４のアンテナ回路と結合され、アンテナ回路に近づくとそれをデチューニングする回路を備えている。このような実施形態の他のものでは、デバイス１２８は、送信機１２４によって受信されたまたは送信されたＲＦエネルギを減衰させるＲＦシールドとして動作する。さまざまな実施形態において、デバイス１２８は、導電性インク、フォイルまたは他の導電性材料などから成る１以上の層をページ１２６上にプリントまたは搭載することによって形成される。このような技法によって、導電性材料から成る１以上の層と絶縁層を適宜堆積させることによってインダクタやキャパシタなどのさまざまな回路要素を製造することが可能となる。
【００８８】
図５Ａに、図５の実施形態の変更例の略図を示すが、ここで、対応する部品は同じ参照番号を有している。図５Ａの実施形態では、無線送信機１３２は、ページ１２６上のデバイス１３０とリード線１３４を介して結合され、ページ１２２上のデバイス１３８とはリード線１３６を介して結合されている。デバイス１３０と１３８はそれぞれのページ上に位置付けられ、これで、ページ１２２と１２６が互いに閉じられると、デバイス１３０と１３８が互いに無線により結合されて、送信機１３２が第１の状態となり、ページ１２６と１２２が十分開かれると、デバイス１３０と１３８が非結合となり、送信機１３２が第２の状態となるようになっている。この送信機１３２の２つの状態は図５の実施形態の場合と同じように用いられて、出版物１２０のページ１２２と１２６が開かれたかかどうか判定する。
【００８９】
ある実施形態では、デバイス１３０と１３８は、ページ１２２と１２６が閉じられると静電結合状態となる導電性パターンである。ある実施形態では、デバイス１３０と１３８は、ページ１２２と１２６が閉じられると互いに誘電結合するそれぞれのインダクタを形成している。
【００９０】
図６に、第１と第２のページ１４２と１４６が開いている出版物１４０の略図を示す。第１の加速度検出装置１４４は第１のページ１４２の中か表面に搭載され、第２の加速度検出装置は第２のページ１４６の中か表面に搭載されている。加速度差分検出装置１５０は加速度検出装置１４４と１４８のそれぞれと結合されており、それらの出力信号の差を検出し、これらのページが互いに対して移動したかどうかを判定して、ページ１４２と１４６が読者によって開かれたか閉じられたかを示すようになっている。ある実施形態では、加速度差分検出装置１５０は出版物１４０の中や表面に搭載され、無線送信機を組み込んで検出データを携帯式モニターや他のデータ回収装置に通信するかまたは、同じ目的で別個の無線送信機と結合される。他の実施形態では、加速度差分検出装置は携帯式モニターや他のデータ回収装置に組み込まれており、検出装置１４４と１４８の出力は携帯式モニターや他のデータ回収装置にに対して、出版物１４０の中や表面にある１以上の無線送信機によって無線送信されるようになっている。
【００９１】
ある実施形態では、加速度検出装置１４４と１４８の双方が同じページに搭載されているが、出版物１４０の結合部１５４から互いに異なった距離のところにある。ある実施形態では、これら加速度検出装置の内の一方が結合部１５４の中や表面に搭載されているかまたは出版物１４０のカバーの中や表面に搭載されている。
【００９２】
図７に、出版物１６０の２ページ間に貼り付けられたカード挿入物１６４を有し、また、出版物に永久的に貼り付けられた第２の部分１７２に、取り外し可能に貼り付けられた第１の部分１６８を有する出版物１６０の略図を示す。カード挿入物１６４の第１の部分１６８は、ミシン目または別様に弱くなっている部分１７４に沿って、出版物のユーザが第２の部分１７２から取り外して用いて、製品やサービスに関する問い合わせを郵便や他の物理的配送によって提出したりまたは他者情報を提供したりもしくは他者から情報を要求したりする。
【００９３】
無線送信機１７６は、取り外し可能な第１の部分１６８の中や表面に配置され、第１と第２の部分が取り付けられたままでいる限り第２の部分１７２の中や表面上のデバイス１７８と結合されている。いったん読者が第１の部分１６８を第２の部分１７２から取り外すと、デバイス１７８は無線送信機１７６から非結合化される。無線送信機１７６は、第１と第２の部分が取り付けられたままであり、したがって、デバイス１７８が無線送信機１７６と結合されている限り維持される第１の状態と、第１と第２の部分が互いに分離され、その結果、デバイス１７８が無線送信機１７６から結合されなくなると確立される第２の状態とを有している。ある実施形態では、送信機１７６は第１の状態では非アクティブモードに維持されるが、第２の状態ではアクティブモードに切り替わる。このような実施形態では、携帯式モニターや他のデータ回収装置は送信機１７６から、第１の部分１６８が出版物１６０から取り外されたことを示すものとして送信を受信する。他のある実施形態では、送信機１７６は第１の状態では送信し、第２の状態に切り替わると送信を停止する。ある実施形態では、送信機１７６はこの２つの状態で互いに異なったデータを送信し、これにより、携帯式モニターや他のデータ回収装置は、第１の部分１６８が出版物１６０から取り外されたかどうかを判定することが可能となるようにする。
【００９４】
ある実施形態では、デバイス１７８は送信機１７６と誘電結合されており、これで、部分１６８と部分１７２が互いに分離されると、この接続が外れるようになっている。このような実施形態の内のいくつかでは、デバイス１７８は、送信機１７６の制御回路中の２つのポイント間の接続を維持するジャンパ線である。このような実施形態の内のいくつかでは、デバイス１７８は制御回路から成る。ある実施形態では、デバイス１７８は電磁デフレクタである。他のある実施形態では、デバイス１７８は、干渉による弱め合い回路である。他のある実施形態では、デバイス１７８は減衰回路である。ある他の実施形態では、デバイス１７８はデチューニング回路である。
【００９５】
ある実施形態では、無線送信機１７６は、部分１７２の中や表面に搭載されており、デバイス１７８は、部分１６８の中や表面に搭載されている。
【００９６】
図８に、出版物使用調査の参加者の人物によって携帯式モニター２００が携行されるようなサイズと形状を有する筐体２０８を有する携帯式モニター２００の略図を示す。携帯式モニター２００は、モニター２００との間でデータを相互に通信するための携帯式モニターインタフェース２１２を備えている。インタフェース２１２は、送信機２８、５８、８４、、１２４、１３２および１７６の内の１以上のものなどの、出版物の中や表面上の無線送信機からの無線送信を受信するように動作する無線受信機（簡潔化と明瞭化のため図示せず）を含む。出版物の使用に関するレポートの生成のために、携帯式モニター２００は、受信データやこれに基づいたデータを２１６で記憶して、後でインタフェース２１２（または他のインタフェース）を介して中央処理装置（簡潔化と明瞭化のため図示せず）にダウンロードするか、または、このようなデータを前もって記憶することなく通信する。
【００９７】
ある実施形態では、モニター２００は起動信号を生成する回路２２０を含んでいるが、この信号はインタフェース２１２によって出版物中の１以上の無線トランシーバに無線送信されて、これらのトランシーバを起動してデータを送信するようにする。このような実施形態のうちのあるものでは、回路２２０とインタフェース２１２は一緒になって、ＲＦＩＤタグ読取装置として動作する。ＲＦＩＤ技術とＲＦＩＤタグ読取装置とは当該技術分野において公知であるため、その設計や動作の更なる説明は本明細書には記載しない。
【００９８】
ある実施形態では、モニター２００は、携帯式モニター２００を携行している参加者のロケーションを示すロケーションデータを生成する回路２２４を含む。このようなロケーションデータは、ＧＰＳ受信機、Ａ−ＧＰＳ受信機、慣性監視ユニットまたは、各送信機のロケーションを示すデータを含む短距離ロケーション信号を受信する無線ロケーション信号受信機、によるさまざまな実施形態で生成される。ある実施形態では、この目的で用いられる信号は、携帯電話システム、Ｗｉ−Ｆｉアクセスポイント、ブルートゥースデバイスまたは、Ｒｏｓｕｍ社が開発したＴＶ−ＧＰＳデバイスなどのＴＶ−ＧＰＳ受信機から得られる。
【００９９】
携帯式モニター２００は、インタフェース２１２によって受信される出版物使用データの確認においての使用のため、ロケーションデータを２１６で受信する。たとえば、参加者が歩道、道路または公園内を歩いていたり走っていたりすることをロケーションデータが示していれば、このようなロケーションデータは、参加者がおそらく出版物を読んではいないことを暗示し、そして、その出版物のデータは次にそのデータはモニター２００によって受信される。しかし、参加者が在宅または電車に乗っていることをロケーションデータが示していれば、このようなロケーションデータは、参加者がおそらく出版物を読んではいるであろうことを暗示しており、したがって、その時点でモニター２００が受信した出版物使用データの有効性が確認される傾向にある。ある実施形態では、モニター２００は、受信した出版物使用データの正確さを確認する。ある他の実施形態では、モニター２００は、出版物使用データと共にロケーションデータを記憶して、後で中央処理装置にダウンロードするようにする。この中央処理装置がその後、ロケーションデータを利用して出版物使用データ正確さを確認または検証する。ある実施形態では、時間情報とロケーション情報を、各出版物使用データと共にモニター２００に記憶して、後に、中央処理装置で処理する。
【０１００】
図９に、内部または表面上に第１のデータセンサー３１０と第２のデータセンサー３２０を有する出版物３００の略図を示す。第１のセンサー３１０は、並進運動、変形、把持、出版物の人物に対する近接および出版物に対する接触の内の選択された１つを感知する。第２のデータセンサー３２０は、第１のセンサー３１０が感知したイベントや条件以外の並進運動、変形、把持、出版物の人物に対する近接および出版物に対する接触の内の１つを感知する。第１と第２のデータセンサーは、無線送信機３３０と結合され、これで、第１と第２のデータセンサーが感知したデータを携帯式モニターや他のデータ回収システムに通信する。ある実施形態では、無線送信機３３０は、受信データを処理して、たとえば雑音を抑制したり、イベントや条件が感知されたことを示すその信号成分を検出したりする。送信機３３０は、処理された信号をモニターもしくは他のデータ回収装置に無線送信するかまたはトランスデューサから受信した信号を実質的に変更しないで送信する。ある実施形態では、無線送信機３３０は、第１のデータセンサー３１０（または第２のデータセンサー３２０）が感知した特長が所定の範囲内であれば使用データを送信するまたは送信することを許可される。ある実施形態では、無線送信機３３０は、第１と第２のデータセンサー３１０と３２０が感知したそれぞれの特長の双方がそれぞれの所定の範囲内であれば使用データを送信するまたは送信することを可能とされる。第１と第２のデータセンサー３１０と３２０の双方に対して同じ感知時間間隔を用いる実施形態もあれば、互いに異なった時間間隔を用いる実施形態もある。
【０１０１】
図１０に、出版物またはその一部分４００を表す標示を生成するシステムの略図を示す。この標示は、出版物またはその一部分、たとえば、出版物のなかにある広告を識別する働きをする。図１０で、一部分４００は、架空の製品である、ＰＯＷ！コーラ、の広告を含んでいる。ある実施形態では、プロセッサ４１０の制御下で、出版物またはその一部分が導電性インクで印刷され、図１０のシステムのエネルギ放出装置４２０がＲＦまたは他の電磁エネルギを出版物４００に向けて放出する。出版物４００上の導電性の画像は、受領されたエネルギに反応して、その受領されたエネルギの部分を反射し、および／または、その部分を記憶、修正し、かつ、受信機４３０に対して再送信する。受信機４３０は、出版物４００から受領したエネルギを表すデータを含む受信データをプロセッサ４１０に提供し、このプロセッサはこのようなデータを分析して、周波数、振幅、位相または他の信号特徴に基づいてその部分を抽出して、それからデータの集合を生成するが、このデータ集合は、電磁エネルギに晒された出版物またはその一部分の特徴を示すものである。このデータ集合は、出版物またはその一部分を識別するか、あるいは、そのどちらか一方の特徴を示す関連データと共にストレージ４４０に記憶される。
【０１０２】
このようにして、広告などの出版物またはその一部分を識別するまたは特徴付ける標示のライブラリが生成される。図１１を参照して、出版物使用調査を行うに際して、参加者には、ブロック図形式の略図に示されるモニター５００などの携帯式モニターが提供される。モニター５００は、出版物またはその一部分５２０に、モニター５００の受信機５３０に対してエネルギを反射または送信させるため図１０のシステムと同じ種類のエネルギを放出するエネルギ放出装置５１０を含む。モニター５００の中のプロセッサ５４０は、図１０のプロセッサ４１０と同じように標示を抽出して、これを後で処理するためストレージ５５０に記憶するかまたは、図１０のシステムによって作成された出版物およびその部分を表しておりストレージ５５０に記憶されている照会用標示のライブラリ中の照会用標示と一致するか試す。これが一致すれば、標示を収集した携帯式モニターを携行している参加者は出版物またはその一部分に接触したと判定される。これが一致すれば、その使用に関するレポートを生成するために、その照会用標示と関連するデータが、参加者の表示を伴って、もしくは、伴わずにストレージ５５０に記憶される。通信インタフェース５６０がモニター５００中に設けられ、これで、モニター５００が収集した標示を参照標示との一致を判定するため中央処理装置に通信するかまたは、出版物の使用に関するレポートを生成するために一致データを通信する。
【０１０３】
再度、図１１を参照すると、モニター５００は、メディアデータに対する参加者の接触に関するデータを回収する働きをするメディアデータセンサー５７０を含む。ある実施形態では、メディアデータセンサー５７０は、オーディオメディアデータをピックアップするマイクロフォンを備え、このデータをプロセッサ５４０に供給して、オーディオメディアデータとビデオデータなどの他の関連データに対する参加者の接触に関するデータを生成するようにする。ある実施形態では、センサー５７０は、メディアデータのチャネルまたは他のソースが選択されたことを示す遠隔制御信号をピックアップする光検出装置を備える。ある実施形態では、センサー５７０は、参加者が接触するように選択されたメディアデータを示すＲＦエネルギをピックアップするＲＦ受信機である。いずれの場合も、参加者が接触したメディアデータのレポートを提供するようにするために、プロセッサ５４０はメディアデータ接触データを生成し、これをストレージ５５０に記憶する。出版物使用データとメディアデータ接触データは、双方共、使用または接触の時刻を示すタイムスタンプと一緒に適宜記憶するのが望ましい。このタイムスタンプは、１つのクロック（簡潔化と明瞭化のため図示せず）から得られ、これにより、タイムスタンプが全て同じ時間ベースで提供される。ある実施形態では、モニター５００は、モニター５００のロケーションが識別され、また、ストレージ５５０に記憶されているデータと関連付けられ得るように位置信号を受信する回路を含んでいる。
【０１０４】
図１２に、ある人物による例示の出版物１０００の使用に関するデータを収集するシステムの実施形態を示す。出版物１０００は２ページ以上を有し、その内のページ１０１０と１０２０を図１２に示す。これら出版物のページはその背１０３０のところで、接着剤で、１つもしくは複数のファスナで、糸でまたは別様に綴じあわされている。
【０１０５】
データ収集システム１０４０は、出版物１０００中に含まれており、かつ内部部分１０６０を有すると共に結合部１０３０で出版物１０００に結合されている基板１０５０を含んでいる。システム１０４０はさらに、基板１０５０の中や表面に存在し、出版物１０００の背１０３０の内部にあるまたはこれに結合されている部分を少なくとも１つ有する圧電式トランスデューサ１０７０を含んでいる。したがって、背１０３０が受ける力は圧電式トランスデューサ１０７０も受け、これで、このような力を特徴付ける電気的エネルギを発生する。ある実施形態では、圧電式トランスデューサ１０７０は、基板１０５０にプリントされた、圧電式ポリマーやセラミック材料などの１以上の層を含む。
【０１０６】
トランスデューサ１０７０はシステム１０４０のメインモジュール１０８０に結合され、これで、トランスデューサの出力データをメインモジュール１０８０に対して供給している。ある実施形態では、このトランスデューサ出力データは、電気的エネルギとして、エネルギ伝達を伴うもしくは伴わない信号としておよび／またはスイッチや他の入力デバイスを制御する入力としてメインモジュール１０８０に入力される。メインモジュール１０８０の部分的略図を図１３に示すが、これは、プロセッサ１０９０と、プロセッサ１０９０に結合されてそれに対してシステム１０４０を操作するための電力を供給する電源１１００と、プロセッサに結合されて記憶されているデータをプロセッサ１０９０に対して供給するおよび／またはそれから提供されたデータを記憶するストレージ１１１０と、プロセッサ１０９０に結合されたクロック／タイマー回路１０９２と、それぞれがプロセッサ１０９０と結合されてそれに対して人物による出版物１０００の使用に関するデータを供給する第１のセンサー１１２０および第２のセンサー１１３０と、プロセッサ１０９０に結合されて回線１０９４を介してそれから電力を受領し、また、回線１０９６を介してプロセッサ１０９０との間でデータを入／出力するＲＦモジュール１１４０と、ＲＦモジュール１１４０と結合されてＲＦモジュール１１４０との間でＲＦエネルギを放射および／または受領するアンテナ１１５０とを含む。プロセッサ１０９０はまた、圧電式トランスデューサ１０７０と結合されてその出力を受信する入力１１６０を有している。
【０１０７】
基板１０５０は、紙、プラスティック、布または他の素材などの適当な素材からなる１以上のシートを備える。ある実施形態では、電源１１００は、基板１０５０にプリントされたまたは事前組み立てされて接着剤でそれに貼り付けられた１以上のプリント可能セル、または薄いフィルムセルを含む。ある実施形態では、プロセッサ１０９０とストレージ１１１０は、互いに積層し、相互接続することを可能とするための整合端子を有するフリップチップ部品を備える。ＲＦモジュール１１４０が、システム１０４０からデータを無線送信する送信機を備えている実施形態もあれば、ＲＦモジュール１１４０が、制御データおよび／またはプログラミングデータのようなデータを送信したり受信したりするトランシーバを備えている実施形態もある。
【０１０８】
ある実施形態では、第１のセンサー１１２０は、システム１０４０の配置データを表し、したがって、出版物１０００の配置データを表す出力データを提供するように動作する配置データセンサーを備える。このような実施形態の内のあるものでは、第１のセンサー１１２０は、加速度計および／または動作センサーを備える。ある実施形態では、第２のセンサー１１３０は、センサーが光にさらされるとそれを表す出力データを提供するように動作する光センサーを備える。ある実施形態では、センサー１１２０と１１３０の性質によっては、プロセッサ１０９０は、必要に応じてそれらに対する接続（簡潔化と明瞭化のため図示せず）を介して電力をそれらの一方または双方に供給する。ある実施形態では、部品は、基板１０５０上にプリントされた導電性インクのパターンによってこの基板上で相互接続されている。
【０１０９】
クロック／タイマー回路１０９２がプロセッサ１０９０から分離している実施形態もあれば、プロセッサ１０９０の内部にある実施形態もある。ある実施形態では、クロック／タイマー回路１０９２は、プロセッサ１０９０の動作を同期させるクロックパルスを供給する。ある実施形態では、クロック／タイマー回路１０９２は、相対的時間または実時間を反映する時間データを提供する。このような実施形態の内のあるものでは、センサーデータまたはセンサーデータから導出された処理済みデータと共に、タイムスタンプをストレージ１１１０に記憶して、システム１０４０および／またはシステム１０４０の外部のプロセッサ中でこのようなデータを評価するための時間ベースとする。前述の実施形態の内のあるものでは、１以上のセンサー１１２０と１１３０と、圧電式トランスデューサ１０７０からの生データを評価して、それがある人物による出版物の使用を表しているかどうか判断するために、プロセッサ１０９０がクロックパルスおよび／時間データを用いる。たとえば、同様のパルスから時間的に隔離されている圧電式トランスデューサ１０７０またはセンサー１１２０からのエネルギのパルス１つでは、そのエネルギは一般に、出版物の使用に関連してはいないものとみなされる。しかしながら、トランスデューサ１０７０またはセンサー１１２０から繰り返してパルスがあれば、それは、ある人物が雑誌のページをめくるなどの出版物の使用を表している可能性が高く、したがって、このような使用を示すものとみなされる。さまざまな実施形態において、このようなパルスの、パルス幅、振幅および／または周波数などの他の特徴もまた、このようなパルスが、人物による出版物の使用を示す確からしさを評価するのに用いられる。このような特徴もまた、人物による使用の方法を示すものとなる。すなわち、パルスの幅が比較的大きければ（すなわち、継続時間が長ければ）、それはページのめくり方が遅く、したがって、雑誌や他の出版物を使用している人物がその内容に大きい注意を払っている可能性が高いことを示している。パルスの幅が小さければ、出版物の内容には余り注意が払われていない、たとえば、その人物が待合室で「時間つぶし」のためにせっかちに出版物を拾い読みしている、ことを示す。
【０１１０】
出版物に対する圧力や加速度などの動作が進行中であることを示すセンサー出力またはトランスデューサ出力が、同じ時間期間における第２のセンサー１１３０などの光センサーからの出力と共に検出されれば、それは、その出版物がある人物によって使用中であり、また、その人物が出版物中の、システム１０４０が貼り付けられているページを開いたことを強く示すものとなる。ある実施形態では、システム１０４０は、生のセンサーデータをタイムスタンプと共にストレージ１１１０に記憶して、次にデータ回収装置に通信されるようにする。ある実施形態では、プロセッサ１０９０がこの生データが出版物の使用を表す確率が十分あるとこのようなデータから判定した場合にだけ、システム１０４０はこのような生データをタイムスタンプと共に選択的に記憶する。ある実施形態では、プロセッサ１０９０は、生データを、回路１０９２またはその内部クロックから提供されたクロックパルスもしくは時間ベース、または、内部クロックを用いて処理して、この生データが、出版物の使用および／またはこのような使用の性質を表しているかを判定して、このような使用を表すデータを生成して、タイムスタンプと共にまたは単独でストレージ１１１０に記憶する。プロセッサ１０９０は、生データまたは処理されたデータを、それをストレージ１１１０に記憶することなく、直接にデータ回収装置に対してＲＦモジュール１１４０を介して送信する実施形態もある。
【０１１１】
ある実施形態では、システム１０４０は、出版物使用データをＲＦモジュール１０４０によって受信された通信を通して受信する。ある実施形態では、このようなデータは、システム１０４０を含む出版物が予約購読者、新聞売店もしくは出版物小売店に対して郵送中または別様に配送中であることを示す出版社や流通業者から通信されたデータを含み、その地域の予約購読者、図書館、学園施設もしくは商業施設などの購読者のタイプを識別したり、日付スタンプとなったりする。このようなデータはまた、新聞売店、小売店、図書館、荷送人または他の介在者によって通信された、その識別、ロケーション、日付スタンプおよび、出版物が売れたか、配布されたか、廃棄されたかを示すデータを含んでもよい。
【０１１２】
図１２を再度参照すると、システム１０４０は、システム１０４０を含んでいる出版物１０００および類似のデバイスを含む他の出版物に対する回答者／パネリストの接触に関するデータの収集を含む進行中のマーケットリサーチにおける、回答者としての人物が携行する携帯式モニター１１７０からのデータを無線で送信および／または受信する。携帯式モニター１１７０は、システム１０４０およびこのような他のデバイスから受信したデータを表すデータを記憶する働きをし、その後で、このようなデータおよび／またはその処理されたものを、モニターおよび／または回答者を識別するデータと共に、携帯式モニター１１７０などの複数のモニターからのこのようなデータを収集して処理する処理施設１１８０に通信する。ある実施形態では、システム１０４０は、モニター１１７０を携行している特定の回答者による使用に関する使用データを含むデータをモニター１１７０に送信し、モニター１１７０がこれを記憶する。ある実施形態では、システム１０４０は、モニター１１７０を携行している特定の回答者以外の人物による使用に関連する使用データを含むデータを記憶しておいて後でこれをモニター１１７０に送信して、これをモニター１１７０が記憶する。ある実施形態では、システム１０４０は、出版社、流通業者、新聞売店、出版物小売店、図書館、学園施設、商業施設等によってシステム１０４０に通信されて、システム１０４０に記憶されたデータを記憶して後でこれをモニター１１７０に送信する。ある実施形態では、システム１０４０とモニター１１７０間の通信は、モニターを携行している人物が出版物に近接したしるしとして用いている。ある実施形態では、システム１０４０からのデータのモニター１１７０による受信および／またはモニター１１７０からのデータのシステム１０４０による受信を、モニター１１７０を携行している人物が出版物１０００に近接したしるしとして用いている。近接を示すこのデータは、ある実施形態では、出版物使用データとして取り扱われる。
【０１１３】
図１４に、携帯式モニター１１７０の実施形態のブロック図を示す。このモニターは、携帯電話、ポケベル、ＰＤＡもしくは携帯式メディアプレーヤを収納するような種類とサイズの筐体または腕時計、キーフォブ、宝石類などの筐体といった適切な筐体１１７２に収納される。携帯式モニターの全体的な動作は、プロセッサ１１７５によって制御される。システム１０４０とのデータ通信は、プロセッサ１１７５と結合されているＲＦ通信モジュール１１７８をモニター１１７０が用いて実行されて、このプロセッサ１１７５から制御データを受信したり、それとの間でデータを授受したりして、システム１０４０との間でそれを送受信する。プロセッサ１１７５はまたストレージ１１８５と結合されて、その中にデータを記憶したりそれからデータを取得したりする。このようなデータには、システム１０４０などの出版物使用監視システムから受信したデータが含まれる。時々、携帯式モニター１１７０は、自身が記憶しているデータを、通信１１９０を介して処理施設１１８０に通信する。
【０１１４】
ある実施形態では、モニター１１７０は、メディア使用監視システム１１９５を含んでいるが、このシステムは、モニター１１７０を携行している人物によるメディアの使用および／またはメディアに対する接触を監視する働きをする。オーディオメディアに対する接触を監視する場合、メディア使用監視１１９５が、米国、メリーランド州、コロンビア市のＡｒｂｉｔｒｏｎ社のＰＰＭ（商標）を備えているのが望ましい。ある実施形態では、メディア使用監視システムは、オーディオ標示抽出システムおよび／または補助コードデコーダを備えて、オーディオメディアに対する接触を監視するようにしている。ある実施形態では、メディア使用監視システム１１９５はマイクロフォンを備えており、これで、オーディオメディアデータをピックアップして、オーディオメディアデータおよび、ビデオデータなどの他の関連データに対する参加者の接触に関するデータを生成するためにプロセッサ１１７５に供給する。ある実施形態では、システム１１９５は光検出装置を備えており、これで、メディアで他のチャネルや他のソースが選択されたことを示す遠隔制御信号をピックアップする。ある実施形態では、システム１１９５は受信機を備えているが、この受信機は、参加者によって接触されるように選択されたメディアデータを示すＲＦまたは中間周波数のエネルギをピックアップする。ある実施形態では、システム１１９５は、回答者がメディア接触データを入力するために用いる手動式スイッチまたは他の手動式デバイスを備えている。いずれの場合も、プロセッサ１１７５は、メディア接触データを生成して、ストレージ１０８５に記憶して、参加者によって接触されたメディアデータの記録とする。出版物使用データとメディアデータ接触データは双方とも、適宜、使用、接触および／または受信の時間を示すタイムスタンプと共に記憶されるのが望ましい。これらのタイムスタンプは、全て同じ時間ベースで提供されるように１つのクロック（簡潔化と明瞭化のため図示せず）から得るようにするのが望ましいが必然的にではない。
【０１１５】
ある実施形態では、モニター１１７０は配置データソース１１９８を含んでおり，これで、モニター１１７０の配置を表すデータを提供する。このような実施形態のうちのあるものでは、配置データソース１１９８は動作検出装置を備えているが、この装置は加速度、速度、速さまたは運動を表すデータを生成し、このデータから、回答者の対応する条件が推測される。このようなデータはプロセッサ１１７５に供給されて、このプロセッサがこのデータを評価して、座っているか、立っているか、歩いているかおよび／または走っているかなどの人物の活動を判断し、および／または動いている列車もしくは自動車および飛行中の航空機などの環境および／または静止環境等の人物の環境を判断する。このような実施形態のうちのあるものでは、配置データソース１１９８は、回答者のロケーションを推測する基となる、モニター１１７０のロケーションを表すデータを生成する、ＧＰＳ受信機、地上信号受信機または慣性モニターなどのロケーション検出装置を備えている。このようなデータはプロセッサ１１７５に供給され、このプロセッサはこのデータを評価して、モニターおよび／または回答者が在宅か、仕事中か、小売店にいるか、遊園地や他の公共の場所にいるか、静止ロケーションから移動中かまたは前にいた場所以外のロケーションにいるかを判断する。プロセッサ１１７５は、前述の活動、条件および／またはロケーションの内の１以上を表すデータをストレージ１１８５に記憶するが、後に、このようなデータは、このストレージにアクセスして取得されて施設１１８０に通信される。
【０１１６】
図１５に、図１２と図１３のシステム１０４０のある実施形態で用いられるデータ収集プロセス示すフローチャートを示す。最初、このシステムは「睡眠」モード１２００にあって、このモードでは、このシステムは、圧電式トランスデューサ１０７０および／または動作センサーとして動作する第１のセンサー１１２０が生成したデータを監視している。睡眠モードでは、プロセッサ１０９０はこのようなデータを、出版物１０００が人物によって使用中である可能性を示すパターンがないかどうか評価する。ある実施形態では、このようなパターンは、圧電式トランスデューサ１０７０が受けた圧力の性質によって認識される。たとえば、ある人物が出版物１０００のページを繰り返しめくると、それは、トランスデューサ１０７０によって出力される一連のエネルギパルスとして明らかとなる。このようなパルスがプロセッサ１０９０によって所定の時間期間にわたって繰り返し受信されると、これは、認められた動作とみなされ（ステップ１２１０）、プロセッサ１０９０はステップ１２２０で「覚醒」モードに切り替わる。このステップでは、プロセッサ１０９０はまた内部タイマーをリセットし、するとこのタイマーは、所定の時間期間を表す所定のカウント値までカウントする。ステップ１２２０を過ぎると、プロセッサ１０９０は、タイマーが所定のカウント値に達したかどうか、すなわち、タイマーが「タイムアウト」したかどうかチェックする。タイマーはリセットされたばかりであるので、処理はステップ１２４０まで続く。
【０１１７】
覚醒モードでは、プロセッサ１０９０は、ステップ１２４０に示すように、第２のセンサー１１３０の出力を監視して、光に晒された、すなわち、出版物のページ１０１０と１０２０が開かれたことを示すデータがないかどうか調べる。このデータがあれば、プロセッサ１０９０は、このイベントの発生を表すデータを生成して、ステップ１２５０で、ＲＦモジュール１１４０にこのようなデータを送信させて、携帯式モニター１１７０が、もし射程内にあれば、それを受信するようにさせる。このようなデータは、第２のセンサー１１３０が光を検出し、また、認められた動作がまた所定の時間期間内で繰り返し、プロセッサ１０９０によって発見される限りは繰り返し送信される。このような動作が所定の時間期間内で発見されず、これでステップ１２２０が迂回されタイマーがリセットされないような場合、出版物１０００はもはや使用中ではないものと考えられて、システム１０４０は、ＲＦモジュール１１４０にデータ送信を停止させ、システム１０４０は、ステップ１２３０に示すように、自身の睡眠モードに戻る。
【０１１８】
ある実施形態では、システム１０４０は図１６に示す別のデータ収集プロセスをたどるが、このプロセスでは、システム１０４０は最初に睡眠モードで動作して、受信データに認められた動作がないかどうか評価する（ステップ１３１０）。認められた動作がその結果発見されれば、プロセッサ１０９０は内部タイマーをリセットし、するとこのタイマーは、所定の時間期間を表す所定のカウント値にまでカウントを開始する。ステップ１３２０では、プロセッサ１０９０は、検出された動作イベントに対応するコードをストレージ１１１０にアクセスして取得し、ステップ１３２０に示すように、ＲＦモジュール１１４０を制御してそのコードを送信させ、もし携帯式モニター１１７０が射程内にあれば、そのコードを受信するようにさせる。
【０１１９】
ステップ１３３０では、プロセッサ１０９０は再度、受信データに認められた動作がないかどうか評価する。存在すれば、ステップ１３４０で、プロセッサ１０９０はタイマーをリセットして、次に、ステップ１３５０で、光に晒されたことを示すデータが第２のセンサーから受信されたかどうかチェックする。しかしながら、認められた動作がステップ１３３０で検出されなければ、ステップ１３６０で、プロセッサ１０９０は、内部タイマーが所定のカウント値に達したかどうか判定する。達していなければ、ステップ１３５０で、光に対して晒されたかどうかチェックする。しかし、ステップ１３６０で検出されたように、出版物１０００がもはや使用中ではないことを示すその所定のカウント値にタイマーが達した場合、システム１０４０は再度睡眠モード１３００となる。
【０１２０】
ステップ１３５０で光が検出されなければ、処理はステップ１３２０に戻り、そのページ１０１０と１０２０が開かれてはいないが、出版物１０００が使用中であることを示すためにコード１を送信し続ける。しかしながら、ステップ１３５０で光が検出されれば、ステップ１３７０でプロセッサ１０９０はＲＦモジュール１１４０を制御して、別のコードであるコード２を送信させて、出版物が使用中であって、そのページ１０１０と１０２０が開いていることを示す。
【０１２１】
ＲＦモジュール１１４０がコード２を送信するように制御した後で、プロセッサ１０９０は１３８０で再度、認められた動作が継続されているかどうかチェックする。認められた動作が発見されれば、プロセッサ１０９０はステップ１３９０でタイマーをリセットして、ステップ１３５０に戻り、第２のセンサー１１３０がいまだ光を受光しているかどうか判定する。認められた動作がステップ１３８０で検出されなければ、プロセッサ１０９０はステップ１３９６で、タイマーがタイムアウトしたかどうか判定する。タイムアウトしていなければ、処理はステップ１３５０に戻り、光が検出されたかどうかチェックする。認められた動作が検出される以前にタイマーがその所定のカウント値に達していれば、システム１０４０は再度睡眠モード１３００となる。
【０１２２】
ある実施形態では、システム１０４０は、図１７に示すさらに別のデータ収集プロセスをたどるが、このプロセスでは、システム１０４０は最初に睡眠モードで動作して、ここでプロセッサ１０９０は、受信データに認められた動作がないかどうか評価する（ステップ１４１０）。認められた動作がプロセッサ１０９０によって検出されなければ、システムは睡眠モード１４００にとどまる。しかしながら、認められた動作を検出すれば、プロセッサ１０９０は、ＲＦモジュール１１４０を制御してデータを送信させて、射程内にある携帯式モニター１１７０が受信するようにして、そのモニターに、「Ｈｅｒｅ  Ｉ  Ａｍ（私はここ）」のメッセージを報知する。システム１０４０は、モニター１１７０からの応答が受信されるのを待つ。このような応答がなければ、ステップ１４３０に示すように、システムは再度睡眠モードになり、再度認められた動作がないかどうかチェックする。
【０１２３】
しかしながら、システム１０４０がモニター１１７０などの携帯式モニターから応答を受信すれば、プロセッサ１０９０は第２のセンサー１１３０をチェックして、ステップ１４４０に示すように光に晒されたことを示すデータがないかどうか判定する。光が検出されていなければ、プロセッサ１０９０はＲＦモジュール１１４０を制御してデータをモニター１１７０に送信させて、この情報を伝達する。ステップ１４５０を参照のこと。次のステップ１４６０では、プロセッサ１０９０は再度認められた動作がないかどうかチェックする。このような動作が検出されれば、プロセッサ１９０はタイマーをリセットし、処理はステップ１４４０に戻り、光が検出されたかどうかチェックする。認められた動作がステップ１４６０で検出されなければ、プロセッサ１０９０は、ステップ１４７０でタイマーがタイムアウトしたかどうかチェックする。タイムアウトしていなければ、処理はまたステップ１４４０に戻って光をチェックする。しかしながら、認められた動作が継続しなくて、タイマーがタイムアウトすれば、システムは再度睡眠モード１４００となる。
【０１２４】
ステップ１４４０で光が検出されれば、ステップ１４８０でこのような検出の標示がプロセッサ１０９０によってストレージ１１１０に記憶され、次にプロセッサ１０９０がステップ１４８４で認められた動作が継続されているかどうかチェックする。このような動作が検出されれば、プロセッサはステップ１４８８で再度、光に晒されたかどうかチェックする。しかしながら、認められた動作がステップ１４８４で検出されなかったかまたは光に対する暴露がステップ１４８８で検出されない場合、処理はステップ１４３０に戻って、モニター１１７０からの応答がないかどうか再度チェックする。このような応答が受信されれば、処理はステップ１４４０まで続くが、受信されなければ、システム１０４０は再度睡眠モードとなって、さらなる認められた動作が生じていないかどうか監視する。
【０１２５】
図１７からと上記の説明から、ある実施形態では、携帯式モニター１１７０がシステム１０４０に対してその動作を制御するためのデータを提供することが分かる。ある実施形態では、モニター１１７０は、モニター１１７０に対応する回答者による出版物の使用を検出する助けとなるパラメータをシステム１０４０に提供する。パラメータは、プロセッサがセンサー１１２０および１１３０ならびにトランスデューサ１０７０から使用タイプのデータを受信したときに、回答者によって出版物が使用中である尤度を決定する際にシステム１０４０の助けとなるもので、回答者の人口統計および／または出版物の使用における嗜好もしくはこれらに基づくデータなどのパラメータである。ある実施形態においてシステム１０４０にモニター１１７０から供給されるこのようなパラメータには、出版物を使用中にモニター１１７０を携行している特定の回答者による出版物に対する特徴的な圧力や配置を示すデータなどの、特定の回答者による出版物に対する一般的な用い方の特徴を示すパラメータが含まれる。ある実施形態では、モニター１１７０は、ストレージ１１１０に記憶している更新された、もしくは、修正されたプログラミングをシステム１０４０に提供してその動作を制御する。これらの実施形態によって、システム１０４０を取り替えることなくその中に改良内容を組み込むことが可能となるが、これは、それが出版物にすでに組み込まれている場合や、すでに出版社やそれらを出版物中に組み込む他のいずれかの手元にあるシステム１０４０のストックを交換することを回避することが望まれる場合に、通常不可能であった。
【０１２６】
本発明のさまざまな実施形態を、部品、特徴および類似物の特定の配置を参照して説明したが、これらは可能な配置や特徴を全て記すことを意図するものではなく、実際には、他の多くの実施形態、修正例および変更例が当業者には確認可能である。
【図面の簡単な説明】
【０１２７】
【図１】本発明のある実施形態にしたがってデータを収集するために用いられるシステムの略図である。
【図２】ある実施形態による圧電式トランスデューサを含む出版物の略図である。
【図３】ある実施形態による折りたたみ式フラップを含む出版物の略図である。
【図４】ある実施形態による、圧電式トランスデューサがその上または中に置かれたカバーを有する出版物の略図である。
【図４ａ】ある実施形態による圧電式トランスデューサを有する出版物の別の略図である。
【図５】ある実施形態による出版物のさらに別の略図である。
【図５ａ】ある実施形態による出版物のさらに別の略図である。
【図６】ある実施形態による加速度検出装置を有する出版物の略図である。
【図７】ある実施形態にしたがって取り外し可能なカードが挿入された出版物の略図である。
【図８】ある実施形態で用いられる携帯式モニターの機能ブロック図である。
【図９】ある実施形態にしたがって出版物で用いられるデータセンサーと無線送信機とを示す機能ブロック図である。
【図１０】ある実施形態にしたがって標示を生成するために用いられるシステムの略図である。
【図１１】ある実施形態によるシステムの別の略図である。
【図１２】ある実施形態によるシステムのさらに別の略図である。
【図１３】ある実施形態によるメインモジュールの機能ブロック図である。
【図１４】ある実施形態で用いられる携帯式モニターの機能ブロック図である。
【図１５】ある実施形態において採用されるデータ収集プロセスを示すフローチャートである。
【図１６】ある実施形態において採用されるデータ収集プロセスを示す別のフローチャートである。
【図１７】ある実施形態において採用されるデータ収集プロセスを示すさらに別のフローチャートである。
【図１】
2007535735.tif 000003
【図２】
2007535735.tif 000004
【図３】
2007535735.tif 000005
【図４】
2007535735.tif 000006
【図４ａ】
2007535735.tif 000007
【図５】
2007535735.tif 000008
【図５ａ】
2007535735.tif 000009
【図６】
2007535735.tif 000010
【図７】
2007535735.tif 000011
【図８】
2007535735.tif 000012
【図９】
2007535735.tif 000013
【図１０】
2007535735.tif 000014
【図１１】
2007535735.tif 000015
【図１２】
2007535735.tif 000016
【図１３】
2007535735.tif 000017
【図１４】
2007535735.tif 000018
【図１５】
2007535735.tif 000019
【図１６】
2007535735.tif 000020
【図１７】
2007535735.tif 000021
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
出版物の使用に関するデータを生成するシステムであって：
出版物の所定の部分の中または表面に配置され、変形すると電気エネルギを出力として発生するように動作する圧電式エレメントと；
前記出版物の中または表面に配置され、前記圧電式エレメントによって出力された前記電気エネルギに反応して、前記出版物の使用を示すデータを前記出版物から離れたところにあるデータ受信機に通信する通信デバイスと、
を備える前記システム。
【請求項２】
前記出版物をさらに備える、請求項１に記載のシステム。
【請求項３】
前記通信デバイスが無線送信機を備える、請求項１に記載のシステム。
【請求項４】
前記圧電式エレメントが前記出版物のページの中または表面に配置され、また、前記出版物の前記ページがめくられると電気エネルギを発生するようになっている、請求項１に記載のシステム。
【請求項５】
前記圧電式エレメントが圧電式ポリマーフィルムである、請求項１に記載のシステム。
【請求項６】
前記出版物が複数のページを含み、また、前記システムが前記通信デバイスに結合された複数の圧電式エレメントを含み、前記圧電式エレメントのそれぞれが、前記出版物の前記複数のページのそれぞれ互いに異なったページの表面または中に配置され、前記通信デバイスが、前記電気エネルギを供給する前記それぞれの圧電式エレメントに対応する前記出版物の前記ページを識別するデータを前記通信デバイスに通信する、請求項１に記載のシステム。
【請求項７】
前記出版物の中または表面に配置され、前記通信デバイスに結合され、前記出版物の運動を検出するようになっている動作検出装置をさらに備え；前記動作検出装置が前記出版物の運動を検出すると、データを通信するようになっている、請求項１に記載のシステム。
【請求項８】
前記出版物が複数のページを含み、前記ページのうちの少なくとも１ページが、前記ページで表示される項目を一時的に隠すように設計された折りたたみ式フラップを含み；前記圧電式エレメントが前記折りたたみ式フラップの近傍に配置され、また、前記ページに表示される項目を見せるために前記折りたたみ式フラップが上げられると電気エネルギを発生する、請求項１に記載のシステム。
【請求項９】
前記圧電式エレメントが前記出版物のカバーの重要な部分の中または表面に配置された圧電式ポリマーフィルムを含み、前記カバーが把持されると電気エネルギを発生するようになっている、請求項１に記載のシステム。
【請求項１０】
前記圧電式ポリマーフィルムが、前記カバーを把持する前記手からの熱による温度変化が検出されると電気エネルギを発生するようになっている、請求項９に記載のシステム。
【請求項１１】
前記圧電式エレメントと前記通信デバイスが導電性の可視媒体を介して結合されている、請求項１に記載のシステム。
【請求項１２】
前記出版物が外部包装材料を含み；前記圧電式エレメントが前記外部包装材料の中または表面に配置され、前記外部包装材料が取り除かれると電気エネルギを発生するようになっており；また、前記通信デバイスは、前記発生された電気エネルギを受領すると前記外部包装材料が取り除かれたことを示すデータを送信する、請求項１に記載のシステム。
【請求項１３】
携行可能な携帯式モニターをさらに備え、前記携帯式モニターが、前記通信デバイスによって送信された前記データを受信するように動作する無線受信機と、前記受信された情報を記憶するように動作するストレージとを含む、請求項１に記載のシステム。
【請求項１４】
前記携帯式モニターの前記無線受信機が、さらに１以上の位置信号を受信するようになっており、また、前記携帯式モニターの前記ストレージが、前記受信された情報と共に、前記受信された１以上の位置信号に関連する位置データを記憶するようになっている、請求項１３に記載のシステム。
【請求項１５】
前記圧電式エレメントが導電性インクによって前記通信デバイスに結合される、請求項１に記載のシステム。
【請求項１６】
出版物の使用を示す使用データを生成する方法であって：
前記出版物の中または表面に配置された圧電式エレメントによって前記出版物の使用を示す使用データを生成するステップと；
前記使用データをデータ回収装置に通信するステップと；
を備える方法。
【請求項１７】
前記通信するステップが、前記使用データをデータ回収装置に無線通信するステップを備える、請求項１６に記載の方法。
【請求項１８】
前記使用データを生成するステップが、前記出版物のページがめくられると前記圧電式エレメントを用いて電気エネルギを発生するステップを備える、請求項１６に記載の方法。
【請求項１９】
圧電式ポリマーフィルムを用いて使用データを生成するステップを備える、請求項１６に記載の方法。
【請求項２０】
前記出版物のそれぞれ互いに異なったページの表面または中に配置された複数の圧電式エレメントを提供するステップをさらに備え、また、前記使用データを生成するステップが、めくられたページに対応する使用データを前記めくられたページの表面または中に配置された、それぞれの前記圧電式エレメントによって生成するステップを備える、請求項１６に記載の方法。
【請求項２１】
前記出版物の動作を検出するステップと；前記検出された動作に基づいたデータをデータ回収装置に無線通信するステップとをさらに備える、請求項１６に記載の方法。
【請求項２２】
前記出版物のページの折りたたみ式フラップの近傍に前記圧電式エレメントを提供するステップをさらに備え、前記使用データを生成するステップが、前記折りたたみ式フラップが上げられると実行される、請求項１６に記載の方法。
【請求項２３】
前記出版物が把持されると、それに対応する使用データを生成するステップを備える、請求項１６に記載の方法。
【請求項２４】
前記出版物が把持されると、それに対応する使用データを、前記出版物の中または表面上の圧電式ポリマーフィルムを用いて生成するステップを備える、請求項１６に記載の方法。
【請求項２５】
前記出版物が外部包装材料から取り外されるときに使用データを生成するステップを備える、請求項１６に記載の方法。
【請求項２６】
出版物読者調査の参加者によって携行される携帯式モニターに対して前記使用データを無線通信するステップを備える、請求項１６に記載の方法。
【請求項２７】
前記無線通信された使用データが受信されると前記携帯式モニターのロケーションを確定するステップと、前記ロケーションを前記無線通信された使用データと共に前記携帯式モニター内部に記憶するステップとをさらに備える、請求項２６に記載の方法。
【請求項２８】
前記使用データを通信するステップが無線送信機によって実行され；前記方法はさらに、前記圧電式エレメントの出力を前記無線送信機に、前記出版物上に配置された導電性インクを介して結合するステップをさらに備える、請求項１６に記載の方法。
【請求項２９】
出版物の使用に関するデータを収集する方法であって：
出版物の配置、出版物に印加される圧力、出版物の光に対する暴露、人物の出版物に対する近接、携帯式モニターの出版物に対する近接、人物の配置および携帯式モニターの配置の内の少なくとも１つを含む第１の条件を表す第１のデータを生成するステップと；
出版物の配置、出版物に印加される圧力、出版物の光に対する暴露、人物の出版物に対する近接、携帯式モニターの出版物に対する近接、人物の配置および携帯式モニターの配置の内の少なくとも１つを含む、前記第１の条件とは異なる、第２の条件を表す第２のデータを生成するステップと；
を備える方法。
【請求項３０】
前記出版物の中または表面上に配置された第１のエレメントによって前記第１の条件を感知するステップと；
前記出版物の中または表面上に配置された第２のエレメントによって前記第２の条件を感知するステップと；
を備える、請求項２９に記載の方法。
【請求項３１】
前記第１と第２の条件のうちの一方を、前記出版物の中または表面上に配置された圧電式エレメントによって感知するステップを備える、請求項２９に記載の方法。
【請求項３２】
前記第１と第２の条件のうちの一方を、動作センサーによって感知するステップを備える、請求項２９に記載の方法。
【請求項３３】
前記第１と第２の条件のうちの一方を、前記出版物の加速度、速さ、速度および運動の内の少なくとも１つを感知することによって感知するステップを備える、請求項２９に記載の方法。
【請求項３４】
前記第１と第２の条件のうちの一方を、前記出版物の光に対する晒しを感知することによって感知するステップを備える、請求項３３に記載の方法。
【請求項３５】
前記第１と第２の条件の内の一方を、光センサーによって感知するステップを備える、請求項２９に記載の方法。
【請求項３６】
前記第１のデータと前記第２のデータとに基づいて使用データを生成するステップを備える、請求項２９に記載の方法。
【請求項３７】
携行される前記携帯式モニターに前記使用データを通信するステップを備える、請求項３６に記載の方法。
【請求項３８】
出版物の使用に関するデータを収集するシステムであって：
出版物の配置、出版物に印加される圧力、出版物の光に対する暴露、人物の出版物に対する近接、携帯式モニターの出版物に対する近接、人物の配置および携帯式モニターの配置の内の少なくとも１つを含む第１の条件を表す第１のデータを生成するように動作する、前記出版物の中または表面に配置されたプロセッサを備え；
前記プロセッサは、出版物の配置、出版物に印加される圧力、出版物の光に対する暴露、人物の出版物に対する近接、携帯式モニターの出版物に対する近接、人物の配置および携帯式モニターの配置の内の少なくとも１つを含む、第２の条件を表す第２のデータを生成するように動作し；
前記第２の条件は前記第１の条件とは異なる、
システム。
【請求項３９】
前記出版物の中または表面上に配置され、前記第１の条件を感知するように動作する第１のエレメントと；
前記出版物の中または表面上に配置され、前記第２の条件を感知するように動作する第２のエレメントと；
を備える、請求項３８に記載のシステム。
【請求項４０】
前記出版物の中または表面上に配置され、前記第１と第２の条件の内の一方を感知するように動作する圧電式エレメントを備える、請求項３８に記載のシステム。
【請求項４１】
前記出版物の中または表面上に配置され、前記第１と第２の条件の内の一方を感知するように動作する動作センサーを備える、請求項３８に記載のシステム。
【請求項４２】
前記動作センサーが、加速度、速さ、速度および運動の内の少なくとも１つを感知するように動作する、請求項４１に記載のシステム。
【請求項４３】
前記出版物の中または表面上に配置され、前記出版物が光に晒されたことを感知するように動作する光センサーを備える、請求項４２に記載のシステム。
【請求項４４】
前記出版物の中または表面上に配置され、前記第１と第２の条件の内の一方を感知するように動作する光センサーを備える、請求項３８に記載のシステム。
【請求項４５】
前記プロセッサが、前記第１のデータと前記第２のデータとに基づいて使用データを生成するように動作する、請求項３８に記載のシステム。
【請求項４６】
前記出版物の中または表面上に配置され、携行される携帯式モニターに前記使用データを通信するように動作する通信デバイスを備える、請求項４５に記載のシステム。
【請求項４７】
前記出版物に貼り付けられた基板を備え、前記プロセッサが前記基板の中または表面に配置される、請求項３８に記載のシステム。
【請求項４８】
前記基板が前記出版物の結合部中に埋め込まれた端部を有し、前記システムが、前記基板の端部に隣接して前記基板中または表面上の圧電式センサーと、前記基板の中または表面上の光センサーとを備え、前記プロセッサが圧電式トランスデューサと結合されて圧電式トランスデューサからトランスデューサ出力データを受信し、また、前記光センサーと結合されて光センサーからセンサー出力データを受信し、前記プロセッサが、前記第１のデータと前記第２のデータを、前記トランスデューサ出力データと前記センサー出力データに基づいて生成するように動作する、請求項４７に記載のシステム。
【請求項４９】
出版物の使用に関するデータを収集するシステムであって：
その端部が出版物の結合部に埋め込まれる基板と；
前記基板の端部に隣接して前記基板中または表面に存在する圧電式センサーと；
前記基板中または表面に、その端部からずれて存在する光センサーと；
前記圧電式トランスデューサと結合されて圧電式トランスデューサから第１のデータを受信し、前記光センサーと結合されて光センサーから第２のデータを受信するプロセッサであり、前記プロセッサは、出版物の使用を表す使用データを前記第１のデータと前記第２のデータとに基づいて生成するように動作する、前記プロセッサと；
前記プロセッサと結合されて、前記システムから前記使用データを通信する通信デバイスと；
を備えるシステム。
【請求項５０】
出版物の使用に関するデータを収集するために、出版物の中または表面で持ち運ばれるデータ収集システムをプログラミングする方法であって：
前記システムが携帯式モニターの通信範囲内にあることを示す第１のデータを前記システムから回答者である人物によって携行される前記携帯式モニターに対して通信するステップと；
前記システムの動作を制御するプログラミングデータを含む第２のデータを前記携帯式モニターから前記システムに対して通信するステップと；
を備える方法。
【請求項５１】
出版物の使用に関するデータを収集するために、出版物の中または表面で持ち運ばれるデータ収集システムをプログラミングするシステムであって：
前記出版物の使用に関するデータを収集するために出版物の中または表面で持ち運ばれ、無線通信機能を有する、データ収集システムと；
回答者である人物が携行するに適し、前記データ収集システムと通信する無線通信機能を有する携帯式モニターであり、前記携帯式モニターが、前記システムの動作を制御するプログラミングデータを含むデータを前記データ収集システムに通信するように動作する、前記携帯式モニターと；
を備えるシステム。
【請求項５２】
出版物の使用に関する使用データを生成する方法であって：
出版物の中または表面の第１データ発生デバイスによって、人による出版物の使用を表す第１のデータを生成するステップと；
前記出版物の中または表面のデバイスによって時間データベースを生成するステップと；
前記出版物の使用を表す使用データを、前記第１のデータと前記時間ベースデータとに基づいて生成するステップと；
を備える方法。
【請求項５３】
前記出版物の中または表面の第２データ生成デバイスによって第２のデータを生成するステップであって、前記第２のデータが人物による前記出版物の使用を表す、前記ステップを備える、請求項５２に記載の方法。
【請求項５４】
前記使用データを、前記第２のデータに基づいて生成するステップを備える、請求項５３に記載の方法。
【請求項５５】
出版物の使用に関する使用データを生成するシステムであって：
出版物の中または表面にあり、人物による前記出版物の使用を表す第１のデータを生成するように動作する第１データ生成デバイスと；
前記出版物の中または表面にあり、時間ベースデータを生成するように動作する時間ベースデータ生成デバイスと；
前記出版物の使用を表す使用データを前記第１のデータと前記時間ベースデータとに基づいて生成するように動作するプロセッサと；
を備えるシステム。
【請求項５６】
出版物の使用に関するデータを収集する方法であって：
人による前記出版物の使用を表す使用データを提供するステップと；
前記出版物の中または表面のストレージに前記使用データを記憶するステップと；
所定の条件が満たされると、前記記憶された使用データを前記ストレージから通信するステップと；
を備える方法。
【請求項５７】
出版物の使用に関するデータを収集するシステムであって：
前記出版物の中または表面にあり、ある人物による前記出版物の使用を表す使用データを提供するように動作するデータソースと；
前記使用データを記憶するように動作する、前記出版物の中または表面のストレージと；
所定の条件が満たされると、前記記憶された使用データを前記ストレージから通信するように動作する通信デバイスと；
を備えるシステム。
【請求項５８】
前記データソースがセンサーを備える、請求項５７に記載のシステム。
【請求項５９】
前記データソースがデータ受信機を備える、請求項５７に記載のシステム。
【請求項６０】
前記データ受信機が無線受信機を備える、請求項５９に記載のシステム。
【請求項６１】
出版物の使用に関するデータを収集する方法であって：
人物による前記出版物の使用に関連する生データを、前記出版物の中または表面のデータソースによって収集するステップと；
前記出版物の中または表面上のプロセッサによって前記生データを処理して、前記人物による前記出版物の使用を示す処理済みデータを生成するステップと；
前記処理済みデータをデータ回収装置に通信するステップと；
を備える方法。
【請求項６２】
生データを収集する前記ステップが、前記出版物の使用を表すエネルギを変換するステップを備える、請求項６１に記載の方法。
【請求項６３】
生データを収集する前記ステップが、前記出版物の使用に関連する条件を感知するステップを備える、請求項６１に記載の方法。
【請求項６４】
生データを収集する前記ステップが、前記出版物の中または表面上のデータ受信機中のデータを受信するステップを備える、請求項６１に記載の方法。
【請求項６５】
前記データ受信機が無線受信機を備える、請求項６４に記載の方法。
【請求項６６】
出版物の使用に関するデータを収集するシステムであって：
前記出版物の中または表面にあり、前記出版物の使用を表す生データを提供するように動作するデータソースと；
前記生データを処理して、前記出版物の使用を示す処理済みデータを生成するように動作する、前記出版物の中または表面上のプロセッサと；
前記処理済みデータをデータ回収装置に通信するように動作する通信デバイスと；
を備えるシステム。
【請求項６７】
前記データソースがトランスデューサを備える、請求項６６に記載のシステム。
【請求項６８】
前記データソースがセンサーを備える、請求項６６に記載のシステム。
【請求項６９】
前記データソースがデータ受信機を備える、請求項６６に記載のシステム。
【請求項７０】
前記データ受信機が無線受信機を備える、請求項６９に記載のシステム。
【請求項７１】
出版物の使用に関するデータを収集する方法であって：
経過時間にわたる生データを生成するために出版物のページが屈曲する際に伴う力を検出するステップと；
前記生データを処理して、ある人物による出版物の使用の方法を特徴づける使用データを生成するステップと；
を備える方法。
【請求項７２】
出版物のページが屈曲する際に伴う力を検出する前記ステップが、圧電式エレメントを用いて電気エネルギを発生するステップを備える、請求項７１に記載の方法。
【請求項７３】
出版物の動作を感知するステップを備える、請求項７１に記載の方法。
【請求項７４】
前記動作を感知するステップが、出版物の加速度、速さ、速度および運動の内の少なくとも１つを感知するステップを備える、請求項７３に記載の方法。
【請求項７５】
前記出版物の光に対する晒しを感知するステップを備える、請求項７１に記載の方法。
【請求項７６】
前記使用データを前記人物によって携行される携帯式モニターに通信するステップを備える、請求項７１に記載の方法。
【請求項７７】
出版物の使用に関するデータを収集するシステムであって：
経過時間にわたる生データを生成するために、出版物のページが屈曲する際に伴う力を検出するように動作する、前記出版物の中または表面にあるトランスデューサと；
前記生データを処理して、ある人物による前記出版物の使用の方法を特徴づける使用データを生成するように動作する、前記出版物の中または表面上にあるプロセッサと；
を備えるシステム。
【請求項７８】
前記トランスデューサが圧電式エレメントを備える、請求項７７に記載のシステム。
【請求項７９】
前記出版物の動作を感知するように動作する、前記出版物の中または表面上にある動作センサーを備える、請求項７７に記載のシステム。
【請求項８０】
前記動作センサーが、前記出版物の加速度、速さ、速度および運動の内の少なくとも１つを感知するように動作する、請求項７９に記載のシステム。
【請求項８１】
前記出版物が光に晒されたことを感知するように動作する、前記出版物の中または表面上にある光センサーを備える、請求項７７に記載のシステム。
【請求項８２】
前記出版物の中または表面上にあって、前記人物によって携行される携帯式モニターに前記使用データを通信するように動作する通信デバイスを備える、請求項７７に記載のシステム。
【手続補正２】
【補正対象書類名】明細書
【補正対象項目名】００８５
【補正方法】変更
【補正の内容】
【００８５】
図５に、ページ１２２を開いている出版物１２０の略図を示す。無線送信機１２４は、ページ１２２の中または表面に配置され、ページ１２２を開くことによって出版物の使用を示す信号を無線で送信するように動作する。出版物１２０のページ１２６はページ１２２に面している。デバイス１２８はページ１２６の中または表面に配置され、ページ１２２と１２６が互いに閉じられたときにそれが無線送信機１２４に十分近づくように位置付けされている。この位置で、デバイス１２８は送信機１２４と無線で交信し、これで送信機１２４が第１の状態となる。出版物を開いてそのページ１２２と１２６が互いに分離されると、送信機１２４は第２の状態となる。ある実施形態では、送信機１２４はその第１の状態にある場合には非送信モードに維持されるが、第２の状態にあれば送信モードに切り替えられる。このような実施形態では、携帯式モニターまたは他のデータ回収装置は、送信機１２４からの送信を、出版物１２０のページ１２２および／または１２６が開いていることを示すものとして受信する。他の実施形態では、送信機１２４は、その２つのモードで互いに異なったデータを送信し、これにより、携帯式モニターまたは他のデータ回収装置が、出版物１２０のページ１２２と１２６が開かれているかどうかを判定することが可能となるようにする。
【手続補正３】
【補正対象書類名】明細書
【補正対象項目名】００９６
【補正方法】変更
【補正の内容】
【００９６】
図８に、出版物使用調査の参加者の人物によって携帯式モニター２００が携行されるようなサイズと形状を有する筐体２０８を有する携帯式モニター２００の略図を示す。携帯式モニター２００は、モニター２００との間でデータを相互に通信するための携帯式モニターインタフェース２１２を備えている。インタフェース２１２は、送信機２８、５８、８４、、１２４、１３２および１７６の内の１以上のものなどの、出版物の中や表面上の無線送信機からの無線送信を受信するように動作する無線受信機（簡潔化と明瞭化のため図示せず）を含む。出版物の使用に関するレポートの生成のために、携帯式モニター２００は、受信データやこれに基づいたデータを処理／ストレージ２１６で記憶して、後でインタフェース２１２（または他のインタフェース）を介して中央処理装置（簡潔化と明瞭化のため図示せず）にダウンロードするか、または、このようなデータを前もって記憶することなく通信する。
【手続補正４】
【補正対象書類名】明細書
【補正対象項目名】００９９
【補正方法】変更
【補正の内容】
【００９９】
携帯式モニター２００は、インタフェース２１２によって受信される出版物使用データの確認においての使用のため、ロケーションデータを処理／ストレージ２１６で受信する。たとえば、参加者が歩道、道路または公園内を歩いていたり走っていたりすることをロケーションデータが示していれば、このようなロケーションデータは、参加者がおそらく出版物を読んではいないことを暗示し、そして、その出版物のデータは次にそのデータはモニター２００によって受信される。しかし、参加者が在宅または電車に乗っていることをロケーションデータが示していれば、このようなロケーションデータは、参加者がおそらく出版物を読んではいるであろうことを暗示しており、したがって、その時点でモニター２００が受信した出版物使用データの有効性が確認される傾向にある。ある実施形態では、モニター２００は、受信した出版物使用データの正確さを確認する。ある他の実施形態では、モニター２００は、出版物使用データと共にロケーションデータを記憶して、後で中央処理装置にダウンロードするようにする。この中央処理装置がその後、ロケーションデータを利用して出版物使用データ正確さを確認または検証する。ある実施形態では、時間情報とロケーション情報を、各出版物使用データと共にモニター２００に記憶して、後に、中央処理装置で処理する。